(57)【特許請求の範囲】
【請求項１】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置する他の画素の並びが平凸レンズ状集光素の並びに対して該一方の画素の並びを中心軸として内側へ向かってずれていると共に該一方の画素の並びより外側の他の画素の並びほどずれる幅が大きくなり、かつ、他方の画素の並びと平行に位置する他の画素の並びが平凸レンズ状集光素の並びに対して該他方の画素の並びを中心軸として外側へ向かってずれていると共に該他方の画素の並びより外側の他の画素の並びほどずれる幅が大きくなるように配置されており、虚像が目視する方向によって前記平凸レンズ状集光素層の上方又は下方に前記重なっている画素を中心として現出することを特徴とする虚像現出装飾体。
【請求項２】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数を下回る線数からなる紗体を形成する紗線によってできる升目を単位として該升目のピッチと同一ピッチとなっていると共に当該一方向と直交する他方向におけるピッチが前記平凸レンズ状集光素層を形成した紗体の線数を上回る線数からなる紗体を形成する紗線によってできる升目を単位として該升目のピッチと同一ピッチとなっている請求項１記載の虚像現出装飾体。
【請求項３】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数を下回る線数からなる紗体を形成する紗線によってできる升目を単位として該升目のピッチと同一ピッチとなっていると共に当該一方向と直交する他方向におけるピッチが前記平凸レンズ状集光素層を形成した紗体の線数を上回る線数からなる紗体を形成する紗線によってできる升目を単位として該升目のピッチと同一ピッチとなっている請求項１記載の虚像現出装飾体。
【請求項４】
画素層における画素が形状を異にする複数種類からなり、当該各画素の虚像が重なった状態で現出する請求項１乃至３のいずれかに記載の虚像現出装飾体。
【請求項５】
画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１乃至４のいずれかに記載の虚像現出装飾体。
【請求項６】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置する他の画素の並びが平凸レンズ状集光素の並びに対して該一方の画素の並びを中心軸として内側へ向かってずれていると共に該一方の画素の並びより外側の他の画素の並びほどずれる幅が大きくなり、かつ、他方の画素の並びと平行に位置する他の画素の並びが平凸レンズ状集光素の並びに対して該他方の画素の並びを中心軸として内側へ向かって前記一方の画素の並びにおけるずれ幅とは異なる幅でずれていると共に該他方の画素の並びより外側の他の画素の並びほどずれる幅が大きくなるように配置されており、前記画素の形状が変形された虚像が目視する方向によって前記平凸レンズ状集光素層の下方の異なる深さ位置に前記重なっている画素を中心として現出することを特徴とする虚像現出装飾体。
【請求項７】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数に所定線数足した線数からなる紗体を形成する紗線によってできる升目を単位として該升目のピッチと同一ピッチとなっていると共に当該一方向に直交する他方向におけるピッチが前記平凸レンズ状集光素層を形成した紗体の線数に前記所定線数と異なる線数足した線数からなる紗体を形成する紗線によってできる升目を単位として該升目のピッチと同一ピッチとなっている請求項６記載の虚像現出装飾体。
【請求項８】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数に所定線数足した線数からなる紗体を形成する紗線によってできる升目を単位として該升目のピッチと同一ピッチとなっていると共に当該一方向に直交する他方向におけるピッチが前記平凸レンズ状集光素層を形成した紗体の線数に前記所定線数と異なる線数足した線数からなる紗体を形成する紗線によってできる升目を単位として該升目のピッチと同一ピッチとなっている請求項６記載の虚像現出装飾体。
【請求項９】
画素層における画素が形状を異にする複数種類からなり、当該各画素の虚像が重なった状態で現出する請求項６乃至８のいずれかに記載の虚像現出装飾体。
【請求項１０】
画素層における画素が縦横において異なるピッチとなるように多数整列されており、一の画素の並びに配置される画素を残した状態で該一の画素の並びからより離れた他の画素の並びに配置される画素ほど小さくなるように形成されている請求項６乃至９のいずれかに記載の虚像現出装飾体。
【請求項１１】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置する他の画素の並びが平凸レンズ状集光素の並びに対して該一方の画素の並びを中心軸として外側へ向かってずれていると共に該一方の画素の並びより外側の他の画素の並びほどずれる幅が大きくなり、かつ、他方の画素の並びと平行に位置する他の画素の並びが平凸レンズ状集光素の並びに対して該他方の画素の並びを中心軸として外側へ向かって前記一方の画素の並びにおけるずれ幅と異なる幅でずれていると共に該他方の画素の並びより外側の他の画素の並びほどずれる幅が大きくなるように配置されており、前記画素の形状が変形された虚像が目視する方向によって前記平凸レンズ状集光素層の上方の異なる高さ位置に前記重なっている画素を中心として現出することを特徴とする虚像現出装飾体。
【請求項１２】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数から所定線数引いた線数からなる紗体を形成する紗線によってできる升目を単位として該升目のピッチと同一ピッチとなっていると共に当該一方向と直交する他方向におけるピッチが前記平凸レンズ状集光素層を形成した紗体の線数から前記所定線数と異なる線数引いた線数からなる紗体を形成する紗線によってできる升目を単位として該升目のピッチと同一ピッチとなっている請求項１１記載の虚像現出装飾体。
【請求項１３】
平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数から所定線数引いた線数からなる紗体を形成する紗線によってできる升目を単位として該升目のピッチと同一ピッチとなっていると共に当該一方向に直交する他方向のピッチが前記平凸レンズ状集光素層を形成した紗体の線数から前記所定線数と異なる線数引いた線数からなる紗体を形成する紗線によってできる升目を単位として該升目のピッチと同一ピッチとなっている請求項１１記載の虚像現出装飾体。
【請求項１４】
画素層における画素が形状を異にする複数種類からなり、当該各画素の虚像が重なった状態で現出する請求項１１乃至１３のいずれかに記載の虚像現出装飾体。
【請求項１５】
画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１１乃至１４のいずれかに記載の虚像現出装飾体。
【請求項１６】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された前記請求項１記載の虚像現出装飾体における画素層、前記請求項６記載の虚像現出装飾体における画素層及び前記請求項１１記載の虚像現出装飾体における画素層から選択される同種又は異種の少なくとも二層の画素層とからなることを特徴とする虚像現出装飾体。
【請求項１７】
少なくとも一画素層における画素が形状を異にする複数種類からなり、当該各画素の虚像が重なった状態で現出する請求項１６記載の虚像現出装飾体。
【請求項１８】
少なくとも一画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１６及び１７のいずれかに記載の虚像現出装飾体。
【発明の詳細な説明】
【０００１】
【発明の属する技術分野】
本発明は、目の錯覚を利用して虚像を透明基板の上方又は下方に現出させる虚像現出装飾体に関するものである。
【０００２】
【従来の技術】
特開平９−２０７２５４号公報並びに特開平１０−３５０８３号公報には、透明性シートの表面に複数の凸レンズ状の突起を連続した任意のパターンで設けると共に、該透明性シートの裏面に表面と同じ連続パターンをもつ模様を、表面の連続パターンに対して変位させて印刷して見る方向によって模様が変化する装飾シート体が開示されている。
【０００３】
また、特開平１１−１８９０００号公報には、透明性シートの一面に、所定のピッチで繰り返された第１の模様を有する第１のパターン部を設け、前記透明性シートの他面に、前記第１の模様が縮小された相似形状の第２の模様を有する第２のパターン部を設けてなる沈んだ感じに見える三次元のモアレ模様が現出する装飾シートと、透明性シートの一面に、所定のピッチで繰り返された第１の模様を有する第１のパターン部を設け、前記透明性シートの他面に、前記第１の模様が拡大された相似形状の第２の模様を有する第２のパターン部を設けてなる浮いた感じに見える三次元のモアレ模様が現出する装飾シートとが開示されている。
【０００４】
【発明が解決しようとする課題】
前記特開平９−２０７２５４号公報並びに特開平１０−３５０８３号公報に開示されている装飾シート体は、凸レンズ状の突起の層と模様の層とからなり、当該突起パターンのピッチと模様パターンのピッチが同じであり、透明性シートの表面に設けられた凸レンズ状の突起パターンに対して該透明性シートの裏面に印刷される模様パターンを該突起パターンと該模様パターンとを重ねた状態から突起と模様のパターン軸を角度差がねじれるように回転させて変位させ、回転による角度差により各突起と該各突起に対応する模様との重なり度合いが各突起毎に異なったものとなって、凸レンズ状の突起の層側から装飾シート体を目視すれば見る方向によって該模様が見えたり見えなかったりして装飾シート全体としては模様が変化するように見えるものである。
【０００５】
また、前記特開平１１−１８９０００号公報に開示されている装飾シートは、透明シートの一方面に第一の模様を形成して該第一の模様と異なる大きさの第二の模様を該透明シートの他方面に形成することにより、当該透明シートの表裏面において第一の模様と第二の模様とが僅かにずれた位置関係となって、装飾シートを表面又裏面から第一の模様の層と第二の模様の層を目視すれば、左眼による目視角度と右目による目視角度の相違によって左眼に見える第一の模様と第二の模様との重なりによって形成される像と、右眼に見える第一の模様と第二の模様との重なりによって形成される像とが異なったものとなり、装飾シートに三次元のモアレ模様をつくり出すものである。
【０００６】
本発明は、新たな装飾体を開発すべく、透明基板層の表面に形成される平凸レンズ状集光素層における平凸レンズ状集光素の配置と、該透明基板層の裏面に形成される画素層における画素の配置との因果関係を種々のサンプル装飾体を多数作成して試験・研究を重ねた結果、凸レンズの役割を果たす同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、各平凸レンズ状集光素と前記各画素とは少なくとも一組が上下において重なっており、当該重なっている画素を含む２つの直交した画素の並びのうち一方の画素の並びと等距離にある一組の他の画素の並びが該各他の画素の並びに対応する平凸レンズ状集光素の並びに対して該一方の画素の並びを中心軸としてずれていると共に該一方の画素の並びより外側の他の画素の並びほどずれる幅が大きくなり、かつ、他方の画素の並びと等距離にある一組の他の画素の並びが該各他の画素の並びに対応する平凸レンズ状集光素の並びに対して該他方の画素の並びを中心軸としてずれていると共に該他方の画素の並びより外側の他の画素の並びほどずれる幅が大きくなるように配置して虚像現出装飾体を作成すれば、当該虚像現出装飾体を目視する方向が変れば、当該変更に伴って現出する虚像の装飾体面からの深さ位置及び高さ位置が変化するという刮目すべき知見を得て本発明を完成したものである。
【０００７】
【課題を解決するための手段】
前記技術的課題は、次の通りの本発明によって解決できる。
【０００８】
即ち、請求項１に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置付けられる他の画素の並びが平凸レンズ状集光素の並びに対して該一方の画素の並びを中心軸として内側へ向かってずれていると共に該一方の画素の並びより外側の他の画素の並びほどずれる幅が大きくなり、かつ、他方の画素の並びと平行に位置付けられる他の画素の並びが平凸レンズ状集光素の並びに対して該他方の画素の並びを中心軸として外側へ向かってずれていると共に該他方の画素の並びより外側の他の画素の並びほどずれる幅が大きくなるように配置されており、虚像が目視する方向によって前記平凸レンズ状集光素層の上方又は下方に前記重なっている画素を中心として現出する虚像現出装飾体である。
【０００９】
また、請求項２に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数を下回る線数からなる紗体を形成する紗線によってできる升目を単位として該升目のピッチと同一ピッチとなっていると共に当該一方向と直交する他方向におけるピッチが前記平凸レンズ状集光素層を形成した紗体の線数を上回る線数からなる紗体を形成する紗線によってできる升目を単位として該升目のピッチと同一ピッチとなっている請求項１記載の虚像現出装飾体である。
【００１０】
また、請求項３に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数を下回る線数からなる紗体を形成する紗線によってできる升目を単位として該升目のピッチと同一ピッチとなっていると共に当該一方向と直交する他方向におけるピッチが前記平凸レンズ状集光素層を形成した紗体の線数を上回る線数からなる紗体を形成する紗線によってできる升目を単位として該升目のピッチと同一ピッチとなっている請求項１記載の虚像現出装飾体である。
【００１１】
また、請求項４に係る発明は、画素層における画素が形状を異にする複数種類からなり、当該各画素の虚像が重なった状態で現出する請求項１乃至３のいずれかに記載の虚像現出装飾体である。
【００１２】
また、請求項５に係る発明は、画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１乃至４のいずれかに記載の虚像現出装飾体である。
【００１３】
また、請求項６に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置付けられる他の画素の並びが平凸レンズ状集光素の並びに対して該一方の画素の並びを中心軸として内側へ向かってずれていると共に該一方の画素の並びより外側の他の画素の並びほどずれる幅が大きくなり、かつ、他方の画素の並びと平行に位置付けられる他の画素の並びが平凸レンズ状集光素の並びに対して該他方の画素の並びを中心軸として内側へ向かって前記一方の画素の並びにおけるずれ幅とは異なる幅でずれていると共に該他方の画素の並びより外側の他の画素の並びほどずれる幅が大きくなるように配置されており、前記画素の形状が変形された虚像が目視する方向によって前記平凸レンズ状集光素層の下方の異なる深さ位置に前記重なっている画素を中心として現出する虚像現出装飾体である。
【００１４】
また、請求項７に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数に所定線数足した線数からなる紗体を形成する紗線によってできる升目を単位として該升目のピッチと同一ピッチとなっていると共に当該一方向に直交する他方向におけるピッチが前記平凸レンズ状集光素層を形成した紗体の線数に前記所定線数と異なる線数足した線数からなる紗体を形成する紗線によってできる升目を単位として該升目のピッチと同一ピッチとなっている請求項６記載の虚像現出装飾体である。
【００１５】
また、請求項８に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数に所定線数足した線数からなる紗体を形成する紗線によってできる升目を単位として該升目のピッチと同一ピッチとなっていると共に当該一方向に直交する他方向におけるピッチが前記平凸レンズ状集光素層を形成した紗体の線数に前記所定線数と異なる線数足した線数からなる紗体を形成する紗線によってできる升目を単位として該升目のピッチと同一ピッチとなっている請求項６記載の虚像現出装飾体である。
【００１６】
また、請求項９に係る発明は、画素層における画素が形状を異にする複数種類からなり、当該各画素の虚像が重なった状態で現出する請求項６乃至８のいずれかに記載の虚像現出装飾体である。
【００１７】
また、請求項１０に係る発明は、画素層における画素が縦横において異なるピッチとなるように多数整列されており、一の画素の並びに配置される画素を残した状態で該一の画素の並びからより離れた他の画素の並びに配置される画素ほど小さくなるように形成されている請求項６乃至９のいずれかに記載の虚像現出装飾体である。
【００１８】
また、請求項１１に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された画素を縦横において異なるピッチとなるように多数整列させて形成してなる画素層とからなり、前記各平凸レンズ状集光素と前記各画素とは少なくとも一組が上下において重なっており、当該重なっている画素を含む２つの直交した画素の並びのうち、一方の画素の並びと平行に位置付けられる他の画素の並びが平凸レンズ状集光素の並びに対して該一方の画素の並びを中心軸として外側へ向かってずれていると共に該一方の画素の並びより外側の他の画素の並びほどずれる幅が大きくなり、かつ、他方の画素の並びと平行に位置付けられる他の画素の並びが平凸レンズ状集光素の並びに対して該他方の画素の並びを中心軸として外側へ向かって前記一方の画素の並びにおけるずれ幅と異なる幅でずれていると共に該他方の画素の並びより外側の他の画素の並びほどずれる幅が大きくなるように配置されており、前記画素の形状が変形された虚像が目視する方向によって前記平凸レンズ状集光素層の上方の異なる高さ位置に前記重なっている画素を中心として現出する虚像現出装飾体である。
【００１９】
また、請求項１２に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明基板の他方の面に形成されていて、当該画素層の画素は一方向におけるピッチが前記平凸レンズ状集光素層を形成した紗体の線数から所定線数引いた線数からなる紗体を形成する紗線によってできる升目を単位として該升目のピッチと同一ピッチとなっていると共に当該一方向と直交する他方向におけるピッチが前記平凸レンズ状集光素層を形成した紗体の線数から前記所定線数と異なる線数引いた線数からなる紗体を形成する紗線によってできる升目を単位として該升目のピッチと同一ピッチとなっている請求項１１記載の虚像現出装飾体である。
【００２０】
また、請求項１３に係る発明は、平凸レンズ状集光素層はスクリーン印刷により10≦線数≦70を満足する紗体を形成する紗線によってできた升目を単位として透明基板の一方の面に平凸レンズ状集光素が印刷されてなり、画素層は透明フィルムに形成されていて、当該画素層の画素は一方向におけるピッチが前記平凸レンズ状集光素層を形成した紗体の線数から所定線数引いた線数からなる紗体を形成する紗線によってできる升目を単位として該升目のピッチと同一ピッチとなっていると共に当該一方向に直交する他方向のピッチが前記平凸レンズ状集光素層を形成した紗体の線数から前記所定線数と異なる線数引いた線数からなる紗体を形成する紗線によってできる升目を単位として該升目のピッチと同一ピッチとなっている請求項１１記載の虚像現出装飾体である。
【００２１】
また、請求項１４に係る発明は、画素層における画素が形状を異にする複数種類からなり、当該各画素の虚像が重なった状態で現出する請求項１１乃至１３のいずれかに記載の虚像現出装飾体である。
【００２２】
また、請求項１５に係る発明は、画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１１乃至１４のいずれかに記載の虚像現出装飾体である。
【００２３】
また、請求項１６に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された前記請求項１記載の虚像現出装飾体における画素層、前記請求項６記載の虚像現出装飾体における画素層及び前記請求項１１記載の虚像現出装飾体における画素層から選択される同種又は異種の少なくとも二層の画素層とからなる虚像現出装飾体である。
【００２４】
また、請求項１７に係る発明は、少なくとも一画素層における画素が形状を異にする複数種類からなり、当該各画素の虚像が重なった状態で現出する請求項１６記載の虚像現出装飾体である。
【００２５】
また、請求項１８に係る発明は、少なくとも一画素層における画素が縦横において異なるピッチとなるように多数整列されており、一の画素の並びに配置される画素を残した状態で該一の画素の並びからより離れた他の画素の並びに配置される画素ほど小さくなるように形成されている請求項１６及び１７のいずれかに記載の虚像現出装飾体である。
【００２６】
【発明の実施の形態】
以下、本発明の実施の形態を図面に基づき説明する。
【００２７】
実施の形態１．
【００２８】
図１は本実施の形態に係る虚像現出装飾体における平凸レンズ状集光素と画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。図２は図１に示す虚像現出装飾体を模型的に示した部分縦断面図であり、図２の（ａ）は図１に示す虚像現出装飾体のＡ−Ａ断面図であり、図２の（ｂ）は図１に示す虚像現出装飾体のＢ−Ｂ断面図である。図３は図１に示す虚像現出装飾体の平凸レンズ状集光素層を示した平面図であり、平凸レンズ状集光素をスクリーン印刷する紗体の紗線を一点鎖線Ａにて示している。図４は図１に示す虚像現出装飾体をＸ方向から目視した場合に透明基板の手前に浮いて現出する拡大された画素の虚像を説明する図であり、図４の（ａ）は虚像現出装飾体を上から目視しているところを図示した側面図であり、図４の（ｂ）は虚像現出装飾体の平面図である。図５は図１に示す虚像現出装飾体をＸ方向から目視した場合において現出する拡大された画素の虚像を左目で目視した後右目で目視したときの画像の動きを説明する平面図であり、図５の（ａ）は左目で目視したときの画像を示し、図５の（ｂ）は右目で目視したときの画像を示す。図６は図１に示す虚像現出装飾体をＸ方向から目視した場合に現出する拡大された画素の虚像を右目で目視した後左目で目視したときの画像の動きを説明する平面図であり、図６の（ａ）は右目で目視したときの画像を示し、図６の（ｂ）は左目で目視したときの画像を示す。また、図７は図１に示す虚像現出装飾体をＹ方向から目視した場合に透明基板の奥に沈んで現出する拡大された画素の虚像を説明する図であり、図７の（ａ）は虚像現出装飾体を上から目視しているところを図示した側面図であり、図７の（ｂ）は虚像現出装飾体の平面図である。図８は図１に示す虚像現出装飾体をＹ方向から目視した場合に現出する拡大された画素の虚像を左目で目視した後右目で目視したときの画像の動きを説明する平面図であり、図８の（ａ）は左目で目視したときの画像を示し、図８の（ｂ）は右目で目視したときの画像を示す。図９は図１に示す虚像現出装飾体をＹ方向から目視した場合に現出する拡大された画素の虚像を右目で目視した後左目で目視したときの画像の動きを説明する平面図であり、図９の（ａ）は右目で目視したときの画像を示し、図９の（ｂ）は左目で目視したときの画像を示す。
【００２９】
本実施の形態に係る虚像現出装飾体１は、図２に示すように、凸レンズの役割を果たす同一形状・同一大きさの平凸レンズ状集光素２が多数縦横に整列させて形成してなる平凸レンズ状集光素層３と、当該平凸レンズ状集光素層３の下に積層された透明基板４からなる透明基板層５と、透明フィルム６に同一形状・同一大きさの画素（円形画素）７が縦横において異なるピッチとなるように多数整列させて形成してなる前記透明基板層５の下に積層された画素層８とから構成され、平凸レンズ状集光素層３が形成されていない透明基板４の片面に、図１に示すように、画素層８（画素７が形成された透明フィルム６）を平凸レンズ状集光素２と画素７とが上下において重なる基準集光素２’と基準画素７’とからなる組を有するように張り合わせ、基準画素７’を含む画素列（以下、「基準画素列」という。）９’と等距離にある一組の他の画素列９が該各他の画素列９に対応する平凸レンズ状集光素列１０に対して基準画素列９’を中心軸として内側へ向かってずれると共に、基準画素列９’より外側の他の画素列９ほどずれる幅が大きくなり、かつ、基準画素７’を含む画素行（以下、「基準画素行」という。）１１’と等距離にある一組の他の画素行１１が該各他の画素行１１に対応する平凸レンズ状集光素行１２に対して基準画素行１１’を中心軸として外側へ向かって前記画素列９におけるずれ幅と同じ幅でずれると共に、基準画素行１１’より外側の他の画素行１１ほどずれる幅が大きくなるように積層したものである。
【００３０】
同一形状・同一大きさの平凸レンズ状集光素２が多数縦横に整列した平凸レンズ状集光素層３は厚盛性のよい透明インクを用いて、図３に示すように、透明基板４の表面にスクリーン印刷により紗体を形成する紗線Ａによってできた升目を単位として一つの升目の中に一つの平凸レンズを印刷すれば容易に得ることができる。
【００３１】
スクリーン印刷により平凸レンズ状集光素層３を形成する場合には、10≦線数≦70を満足する紗体を用いればよく、紗の線数が10未満及び70を越えれば、平凸レンズ状とするのが難しい。
【００３２】
透明フィルム６に同一形状・同一大きさの円形画素７が縦横において異なるピッチとなるように多数整列させて形成してなる画素層８は、図１に示すように、パーソナルコンピュータにて、編集処理アプリケーションを用いて縦方向の画素７のピッチを平凸レンズ状集光素層３を形成した紗体の線数から所定線数引いた近い線数からなる紗体を形成する紗線によってできる升目を単位として該升目のピッチと同一ピッチとし、横方向の画素７のピッチを平凸レンズ状集光素層３を形成した紗体の線数に前記所定線数と同じ線数足した近い線数からなる紗体を形成する紗線によってできる升目を単位として該升目のピッチと同一ピッチとして画素７を多数縦横に整列させた画素配置の画像データを得た後、当該画像データを出力処理アプリケーションを用いてパーソナルコンピュータに転送処理し、転送された画像データをイメージデータに変換する演算処理アプリケーションを用いて演算処理した後、イメージセッターに転送し、自動現像機にて透明フィルム６に画素７を形成すれば得ることができる。
【００３３】
なお、升目のピッチとは、図３に示す一点鎖線Ａによってできる升目内の任意の位置から該升目と縦横でとなり合う升目の前記任意の位置と同じ位置までの距離をいう。
【００３４】
虚像現出装飾体１において、図４の（ａ）に示すように、目の位置を固定して片目ずつで虚像現出装飾体１をＸ方向（図１参照）より上から目視した場合には、Ｘ方向に対して平行に位置する基準画素行１１’と等距離にある一組の他の画素行１１が該各他の画素行１１に対応する平凸レンズ状集光素行１２に対して基準画素行１１’を中心軸として外側へ向かってずれていると共に、基準画素行１１’より外側の他の画素行１１ほどずれる幅が大きくなっているので、左目１３で目視したときに見えた画像１４（図５の（ａ）参照）が右目１５で目視したときに左方向（図５の（ｂ）参照）にずれ、また、右目１５で目視したときに見えた画像１６（図６の（ａ）参照）が左目１３で目視したときに右方向（図６の（ｂ）参照）にずれる、即ち、虚像現出装飾体１をＸ方向より上から左目１３のみで目視したときに見える画素７の拡大画像１４と右目１５のみで目視したときに見える画素７の拡大画像１６との位置関係を比べると、目線が交差するようにずれて拡大画像が現れており（図４の（ａ）参照）、この画像のずれにより、画素７の拡大画像が虚像現出装飾体１の上方に現れ、画素７の形状と同一形状の拡大された円形の虚像１７が、基準画素７’を中心として平凸レンズ状集光素層３の手前（上方）に浮いて見える。
【００３５】
また、図７の（ａ）に示すように、目の位置を固定して片目ずつで虚像現出装飾体１をＹ方向（図１参照）より上から目視した場合には、Ｙ方向に対して平行に位置する基準画素列９’と等距離にある一組の他の画素列９が該各他の画素列９に対応する平凸レンズ状集光素列１０に対して基準画素列９’を中心軸として内側へ向かってずれていると共に、基準画素列９’より外側の他の画素列９ほどずれる幅が大きくなっているので、左目１３で目視したときに見えた画像１８（図８の（ａ）参照）が右目１５で目視したときに右方向（図８の（ｂ）参照）にずれ、また、右目１５で目視したときに見えた画像１９（図９の（ａ）参照）が左目１３で目視したときに左方向（図９の（ｂ）参照）にずれる、即ち、虚像現出装飾体１をＹ方向から左目１３のみで目視したときに見える画素７の拡大画像１８と右目１５のみで目視したときに見える画素７の拡大画像１９との位置関係を比べると、目線が交差しないようにずれて拡大画像が現れており（図７の（ａ）参照）、この画像のずれにより、画素７の拡大画像が虚像現出装飾体１の下方に現れ、画素７の形状と同一形状の拡大された円形の虚像２０が、基準画素７’を中心として平凸レンズ状集光素層３の奥（下方）に沈んで見える。
【００３６】
透明基板４は、合成樹脂製のものを使用すればよく、硬質、軟質いずれであってもよい。硬質の場合は厚さ１mm〜５mmのもの、軟質の場合は厚さ0.5 mm〜２mmのものが取扱いに適し、商品価値としての応用性が広がり、実用的である。また、透明性を有しておれば、着色されていてもよい。具体的には、ポリカーボネート、ポリエステル、アクリル、ポリ塩化ビニル等の透明合成樹脂製板又は透明フィルムを使用すればよい。なお、透明基板４が5.0 mmよりも厚くなると現出する像がぼやけ、色が薄くなる傾向にあり、逆に0.5 mmよりも薄くなると平印刷の感じとなり、虚像が観察できない傾向にある。
【００３７】
透明基板４は合成樹脂製に限ることなく、ガラス製の板であってもよい。
【００３８】
また、画素層８は、縦方向の画素７のピッチを平凸レンズ状集光素層３を形成した紗体の線数に所定線数足した近い線数からなる紗体を形成する紗線によってできる升目を単位として該升目のピッチと同一ピッチとし、横方向の画素７のピッチを平凸レンズ状集光素層３を形成した紗体の線数から前記所定線数と同じ線数引いた近い線数からなる紗体を形成する紗線によってできる升目を単位として該升目のピッチと同一ピッチとして画素７を縦横において多数整列させた画素配置として形成してもよく、この場合には、当該虚像現出装飾体を横方向から目視すると虚像が奥に沈んで見え、縦方向から目視すると虚像が手前に浮いて見える。
【００３９】
画素７の形状は円形に限らず、四角形、星形、ハート形、文字形、影絵様形等、任意の形状が利用できる。
【００４０】
なお、画素列９が平凸レンズ状集光素列１０に対して徐々にずれていくと共に、画素行１１が平凸レンズ状集光素行１２に対して徐々にずれていくので、基準集光素２’と基準画素７’とからなる組から一定の間隔ごとに再び画素７と平凸レンズ状集光素２とが重なり、当該重なった画素７（基準画素７’）と平凸レンズ状集光素２（基準集光素２’）とを中心として虚像１７，２０が現出する。
【００４１】
本実施の形態における画素層８は、写真製版により画素を形成したフィルムであってもよく、スクリーン印刷、オフセット印刷及び凸版印刷によっても得ることができる。
【００４２】
具体的には、例えば、厚さ１mmの樹脂製透明基板４（透明基板層５）の表面に線数20線の紗体にて平凸レンズ状集光素２を印刷して平凸レンズ状集光素層３を形成した場合には、当該平凸レンズ状集光素層３を形成した紗体の線数20線から所定線数引いた線数である16≦線数＜20を満足する紗体の升目のピッチを縦方向のピッチとし、当該平凸レンズ状集光素層３を形成した紗体の線数20線に前記所定線数と同じ線数足した線数である20＜線数≦24を満足する紗体の升目のピッチを横方向のピッチとして画素７を形成した透明フィルム６（画素層８）を作成すればよく、線数25線の紗体における平凸レンズ状集光素層３に対しては該線数25線から所定線数引いた20≦線数＜25の升目のピッチを縦方向のピッチとし、当該線数25線に前記所定線数と同じ線数足した25＜線数≦30の升目のピッチを横方向のピッチとした画素層８を、線数30線の紗体における平凸レンズ状集光素層３に対しては該線数30線から所定線数引いた24≦線数＜30の升目のピッチを縦方向のピッチとし、当該線数30線に前記所定線数と同じ線数足した30＜線数≦36の升目のピッチを横方向のピッチとした画素層８を、線数35線の紗体における平凸レンズ状集光素層３に対しては該線数35線から所定線数引いた30≦線数＜35の升目のピッチを縦方向のピッチとし、当該線数35線に前記所定線数と同じ線数足した35＜線数≦40の升目のピッチを横方向のピッチとした画素層８を、線数40線の紗体における平凸レンズ状集光素層３に対しては該線数40線から所定線数引いた35≦線数＜40の升目のピッチを縦方向のピッチとし、当該線数40線に前記所定線数と同じ線数足した40＜線数≦45の升目のピッチを横方向のピッチとした画素層８を、線数45線の紗体における平凸レンズ状集光素層３に対しては該線数45線から所定線数引いた40≦線数＜45の升目のピッチを縦方向のピッチとし、当該線数45線に前記所定線数と同じ線数足した45＜線数≦50の升目のピッチを横方向のピッチとした画素層８を、線数50線の紗体における平凸レンズ状集光素層３に対しては該線数50線から所定線数引いた45≦線数＜50の升目のピッチを縦方向のピッチとし、当該線数50線に前記所定線数と同じ線数足した50＜線数≦55の升目のピッチを横方向のピッチとした画素層８を、線数55線の紗体における平凸レンズ状集光素層３に対しては該線数55線から所定線数引いた45≦線数＜55の升目のピッチを縦方向のピッチとし、当該線数55線に前記所定線数と同じ線数足した55＜線数≦65の升目のピッチを横方向のピッチとした画素層８を、線数60線の紗体における平凸レンズ状集光素層３に対しては該線数60線から所定線数引いた50≦線数＜60の升目のピッチを縦方向のピッチとし、当該線数60線に前記所定線数と同じ線数足した60＜線数≦70の升目のピッチを横方向のピッチとした画素層８を、線数65線の紗体における平凸レンズ状集光素層３に対しては該線数65線から所定線数引いた60≦線数＜65の升目のピッチを縦方向のピッチとし、当該線数65線に前記所定線数と同じ線数足した65＜線数≦70の升目のピッチを横方向のピッチとした画素層８を形成すればよい。
【００４３】
また、例えば、厚さ３mmの樹脂製透明基板４（透明基板層５）の表面に線数15線の紗体にて平凸レンズ状集光素２を印刷して平凸レンズ状集光素層３を形成した場合には、当該平凸レンズ状集光素層３を形成した紗体の線数15線から所定線数引いた線数である13≦線数＜15を満足する紗体の升目のピッチを縦方向のピッチとし、当該平凸レンズ状集光素層３を形成した紗体の線数15線に前記所定線数と同じ線数足した線数である15＜線数≦17を満足する紗体の升目のピッチを横方向のピッチとして画素７を形成した透明フィルム６（画素層８）を作成すればよく、線数20線の紗体における平凸レンズ状集光素層３に対しては該線数20線から所定線数引いた15≦線数＜20の升目のピッチを縦方向のピッチとし、当該線数20線に前記所定線数と同じ線数足した20＜線数≦25の升目のピッチを横方向のピッチとした画素層８を、線数25線の紗体における平凸レンズ状集光素層３に対しては該線数25線から所定線数引いた18≦線数＜25の升目のピッチを縦方向のピッチとし、当該線数25線に前記所定線数と同じ線数足した25＜線数≦32の升目のピッチを横方向のピッチとした画素層８を、線数30線の紗体における平凸レンズ状集光素層３に対しては該線数30線から所定線数引いた24≦線数＜30の升目のピッチを縦方向のピッチとし、当該線数30線に前記所定線数と同じ線数足した30＜線数≦36の升目のピッチを横方向のピッチとした画素層８を、線数35線の紗体における平凸レンズ状集光素層３に対しては該線数35線から所定線数引いた30≦線数＜35の升目のピッチを縦方向のピッチとし、当該線数35線に前記所定線数と同じ線数足した35＜線数≦40の升目のピッチを横方向のピッチとした画素層８を、線数40線の紗体における平凸レンズ状集光素層３に対しては該線数40線から所定線数引いた35≦線数＜40の升目のピッチを縦方向のピッチとし、当該線数40線に前記所定線数と同じ線数足した40＜線数≦45の升目のピッチを横方向のピッチとした画素層８を、線数45線の紗体における平凸レンズ状集光素層３に対しては該線数45線から所定線数引いた40≦線数＜45の升目のピッチを縦方向のピッチとし、当該線数45線に前記所定線数と同じ線数足した45＜線数≦50の升目のピッチを横方向のピッチとした画素層８を、線数50線の紗体における平凸レンズ状集光素層３に対しては該線数50線から所定線数引いた45≦線数＜50の升目のピッチを縦方向のピッチとし、当該線数50線に前記所定線数と同じ線数足した50＜線数≦55の升目のピッチを横方向のピッチとした画素層８を作成すればよい。
【００４４】
前記具体例の各画素層８において縦方向の画素７のピッチと横方向の画素７のピッチとを入れ換えて作成してもよい。
【００４５】
また、画素層８において、一方向の画素７のピッチを平凸レンズ状集光素層３を形成した紗体の線数から所定線数引いた近い線数からなる紗体を形成する紗線によってできる升目を単位として該升目のピッチと同一ピッチとし、当該一方向の画素７の並びと直交する他方向の画素７のピッチを平凸レンズ状集光素層３を形成した紗体の線数に前記所定線数と異なる線数足した近い線数からなる紗体を形成する紗線によってできる升目を単位として該升目のピッチと同一ピッチとして画素７を多数縦横に整列させて形成してもよく、当該虚像現出装飾体においては、一方向から目視した場合には、画素７が変形された拡大虚像が基準画素７’を中心として平凸レンズ状集光素層３の奥（下方）に沈んで見え、他方向から目視した場合には、画素７が変形された拡大虚像が基準画素７’を中心として平凸レンズ状集光素層３の手前（上方）に浮かんで見える。
【００４６】
画素７が変形された拡大虚像となるのは、基準集光素２’を中心として等距離にある平凸レンズ状集光素２に対応する画素７が該平凸レンズ状集光素２に対して縦横において異なる幅でずれているからである。
【００４７】
実施の形態２．
【００４８】
図１０は本実施の形態に係る虚像現出装飾体における平凸レンズ状集光素と画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。図１１は図１０に示す虚像現出装飾体を模型的に示した部分縦断面図であり、図１１の（ａ）は図１０に示す虚像現出装飾体のＡ−Ａ断面図であり、図１１の（ｂ）は図１０に示す虚像現出装飾体のＢ−Ｂ断面図である。図１２は図１０に示す虚像現出装飾体によって現出する各虚像の上下の位置関係を説明する図であり、図１２の（ａ）は虚像現出装飾体をＸ方向から目視した場合に現出する虚像を示しており、図１２の（ｂ）は虚像現出装飾体をＹ方向から目視した場合に現出する虚像を示している。また、図１３は平凸レンズ状集光素と画素とによって形成される虚像を図形化した平面図であり、図１３の（ａ）は虚像現出装飾体をＸ方向から目視した場合に現出する虚像を示しており、図１３の（ｂ）は虚像現出装飾体をＹ方向から目視した場合に現出する虚像を示している。これらの図において、図１〜図３及び図７〜図９と同一符号は同一又は相当部分を示す。
【００４９】
本実施の形態における虚像現出装飾体２１は、図１１に示すように、スクリーン印刷により透明基板４の表面に、前記実施の形態１と同様にして平凸レンズ状集光素２を印刷した平凸レンズ状集光素層３と、平凸レンズ状集光素層３の下に積層された透明基板４からなる透明基板層５と、パーソナルコンピュータにて、編集処理アプリケーションを用いて図１０において縦方向の画素（正方形状画素）７のピッチを平凸レンズ状集光素層３を形成した紗体の線数に所定線数足した近い線数からなる紗体を形成する紗線によってできる升目を単位として該升目のピッチと同一ピッチとし、横方向の画素７のピッチを平凸レンズ状集光素層３を形成した紗体の線数に前記所定線数未満の線数足した近い線数からなる紗体を形成する紗線によってできる升目を単位として該升目のピッチと同一ピッチとして画素７を多数縦横に整列させた画素配置の画像データを得た後、当該画像データを出力処理アプリケーションを用いてパーソナルコンピュータに転送処理し、転送された画像データをイメージデータに変換する演算処理アプリケーションを用いて演算処理した後、イメージセッターに転送し、自動現像機にて前記透明基板層５の平凸レンズ状集光素２の形成されていない裏面に形成した画素層８とから構成され、図１０に示すように、画素７と平凸レンズ状集光素２とが上下において重なる基準集光素２’と基準画素７’とからなる組を有しており、当該基準画素列９’と等距離にある一組の他の画素列９が該各他の画素列９と対応する平凸レンズ状集光素列１０に対して基準画素列９’を中心軸として内側へ向かってずれると共に、基準画素列９’より外側の他の画素列９ほどずれる幅が大きくなり、かつ、基準画素行１１’と等距離にある一組の他の画素行１１が該各他の画素行１１に対応する平凸レンズ状集光素行１２に対して基準画素行１１’を中心軸として内側へ向かって前記画素列におけるずれ幅よりも大きな幅でずれると共に、基準画素行１１’より外側の他の画素行１１ほどずれる幅が大きくなるように積層したものである。
【００５０】
虚像現出装飾体２１においては、図１０に示すように、基準集光素列１０’を中心として一定距離にある平凸レンズ状集光素列１０に対応する画素列９が該平凸レンズ状集光素列１０に対してずれる幅と、基準集光素行１２’を中心として前記一定距離と同じ距離にある平凸レンズ状集光素行１２に対応する画素行１１が該平凸レンズ状集光素行１２に対してずれる幅とが異なっているので、画素７の形状が変形された拡大虚像が現出する（図１３参照）。
【００５１】
そして、図１２の（ａ）に示すように、当該虚像現出装飾体２１をＸ方向（図１０参照）より上から目視した場合には、Ｘ方向に対して平行に位置する基準画素行１１’と等距離にある一組の他の画素行１１が該各他の画素行１１に対応する平凸レンズ状集光素行１０に対して基準画素行１１’を中心軸として内側へ向かってずれていると共に、基準画素行１１’より外側の他の画素行１１ほどずれる幅が大きくなっているので、前記正方形状画素７が変形された拡大虚像２２（図１３の（ａ）参照）が基準画素７’を中心として、平凸レンズ状集光素層３の奥（下方）に沈んで見える。
【００５２】
また、図１２の（ｂ）に示すように、当該虚像現出装飾体２１をＹ方向（図１０参照）より上から目視した場合には、Ｙ方向に対して平行に位置する基準画素列９’と等距離にある一組の他の画素列９が該各他の画素列９に対応する平凸レンズ状集光素列１２に対して基準画素列９’を中心軸として内側へ向かって前記画素行１１におけるずれる幅よりも小さな幅でずれると共に、基準画素列９’より外側に他の画素列９上に配置された画素７ほどずれる幅が大きくなっているので、正方形状画素７が変形された拡大虚像２３（図１３の（ｂ）参照）が基準画素７’を中心として、前記拡大虚像２２の深さ位置よりも下方の深さ位置に沈んで見える。
【００５３】
虚像現出装飾体２１をＸ方向から目視した場合に現出する虚像２２（図１２の（ａ）参照）よりもＹ方向から目視した場合に現出する虚像２３（図１２の（ｂ）参照）の方がより下方の深さ位置に沈んで見えるのは、基準集光素列１０’を中心として一定距離にある平凸レンズ状集光素列１０に対応する画素列９が該平凸レンズ状集光素列１０に対してずれる幅よりも、基準集光素行１２’を中心として前記一定距離と同じ距離にある平凸レンズ状集光素行１２に対応する画素行１１が該平凸レンズ状集光素行１２に対してずれる幅の方が大きいためである。
【００５４】
具体的には、例えば、厚さ１mmの樹脂製透明基板４（透明基板層５）の表面に線数13線の紗体にて平凸レンズ状集光素２を印刷して平凸レンズ状集光素層３を形成した場合には、当該平凸レンズ状集光素層３を形成した紗体の線数13線に所定線数足した線数である15≦線数≦17を満足する紗体の升目のピッチを縦方向のピッチとし、該平凸レンズ状集光素層３を形成した紗体の線数13線に前記所定線数と異なる線数足した線数である15≦線数≦17を満足する紗体の升目のピッチを横方向のピッチとして画素７を形成した透明フィルム６（画素層８）を作成すればよく、線数15線の紗体における平凸レンズ状集光素層３に対しては該線数15線に所定線数足した17≦線数≦19の升目のピッチを縦方向のピッチとし、当該線数15線に前記所定線数と異なる線数足した17≦線数≦19の升目のピッチを横方向のピッチとした画素層８を、線数20線の紗体における平凸レンズ状集光素層３に対しては該線数20線に所定線数足した20＜線数≦26の升目のピッチを縦方向のピッチとし、当該線数15線に前記所定線数と異なる線数足した20≦線数≦26の升目のピッチを横方向のピッチとした画素層８を、線数25線の紗体における平凸レンズ状集光素層３に対しては該線数25線に所定線数足した25＜線数≦32の升目のピッチを縦方向のピッチとし、当該線数25線に前記所定線数と異なる線数足した25＜線数≦32の升目のピッチを横方向のピッチとした画素層８を、線数30線の紗体における平凸レンズ状集光素層３に対しては該線数30線に所定線数足した30＜線数≦38の升目のピッチを縦方向のピッチとし、当該線数30線に前記所定線数と異なる線数足した30＜線数≦38の升目のピッチを横方向のピッチとした画素層８を、線数35線の紗体における平凸レンズ状集光素層３に対しては該線数35線に所定線数足した35＜線数≦40の升目のピッチを縦方向のピッチとし、当該線数35線に前記所定線数と異なる線数足した35＜線数≦40の升目のピッチを横方向のピッチとした画素層８を、線数40線の紗体における平凸レンズ状集光素層３に対しては該線数40線に所定線数足した40＜線数≦45の升目のピッチを縦方向のピッチとし、当該線数40線に前記所定線数と異なる線数足した40＜線数≦45の升目のピッチを横方向のピッチとした画素層８を、線数45線の紗体における平凸レンズ状集光素層３に対しては該線数45線に所定線数足した45＜線数≦50の升目のピッチを縦方向のピッチとし、当該線数45線に前記所定線数と異なる線数足した45＜線数≦50の升目のピッチを横方向のピッチとした画素層８を、線数50線の紗体における平凸レンズ状集光素層３に対しては該線数50線に所定線数足した50＜線数≦55の升目のピッチを縦方向のピッチとし、当該線数50線に前記所定線数と異なる線数足した50＜線数≦55の升目のピッチを横方向のピッチとした画素層８を、線数55線の紗体における平凸レンズ状集光素層３に対しては該線数55線に所定線数足した55＜線数≦65の升目のピッチを縦方向のピッチとし、当該線数55線に前記所定線数と異なる線数足した55＜線数≦65の升目のピッチを横方向のピッチとした画素層８を、線数60線の紗体における平凸レンズ状集光素層３に対しては該線数60線に所定線数足した60＜線数≦70の升目のピッチを縦方向のピッチとし、当該線数60線に前記所定線数と異なる線数足した60＜線数≦70の升目のピッチを横方向のピッチとした画素層８を、線数65線の紗体における平凸レンズ状集光素層３に対しては該線数65線に所定線数足した65＜線数≦70の升目のピッチを縦方向のピッチとし、当該線数65線に所定線数と異なる線数足した65＜線数≦70の升目のピッチを横方向のピッチとした画素層８を形成すればよい。
【００５５】
また、例えば、厚さ３mmの樹脂製透明基板４（透明基板層５）の表面に線数10線の紗体にて平凸レンズ状集光素２を印刷して平凸レンズ状集光素層３を形成した場合には、当該平凸レンズ状集光素層３を形成した紗体の線数10線に所定線数足した線数である10＜線数≦14を満足する紗体の升目のピッチを縦方向のピッチとし、該平凸レンズ状集光素層３を形成した紗体の線数10線に前記所定線数と異なる線数足した線数である10＜線数≦14を満足する紗体の升目のピッチを横方向のピッチとして画素７を形成した透明フィルム６（画素層８）を作成すればよく、線数13線の紗体における平凸レンズ状集光素層３に対しては該線数13線に所定線数足した13＜線数≦17の升目のピッチを縦方向のピッチとし、当該線数13線に前記所定線数と異なる線数足した13＜線数≦17の升目のピッチを横方向のピッチとした画素層８を、線数15線の紗体における平凸レンズ状集光素層３に対しては該線数15線に所定線数足した15＜線数≦20の升目のピッチを縦方向のピッチとし、当該線数15線に前記所定線数と異なる線数足した15＜線数≦20の升目のピッチを横方向のピッチとした画素層８を、線数20線の紗体における平凸レンズ状集光素層３に対しては該線数20線に所定線数足した20＜線数≦25の升目のピッチを縦方向のピッチとし、当該線数20線に前記所定線数と異なる線数足した20＜線数≦25の升目のピッチを横方向のピッチとした画素層８を、線数25線の紗体における平凸レンズ状集光素層３に対しては該線数25線に所定線数足した25＜線数≦32の升目のピッチを縦方向のピッチとし、当該線数25線に前記所定線数と異なる線数足した25＜線数≦32の升目のピッチを横方向のピッチとした画素層８を、線数30線の紗体における平凸レンズ状集光素層３に対しては該線数30線に所定線数足した30＜線数≦36の升目のピッチを縦方向のピッチとし、当該線数30線に前記所定線数と異なる線数足した30＜線数≦36の升目のピッチを横方向のピッチとした画素層８を、線数35線の紗体における平凸レンズ状集光素層３に対しては該線数35線に所定線数足した35＜線数≦40の升目のピッチを縦方向のピッチとし、当該線数35線に前記所定線数と異なる線数足した35＜線数≦40の升目のピッチを横方向のピッチとした画素層８を、線数40線の紗体における平凸レンズ状集光素層３に対しては該線数40線に所定線数足した40＜線数≦45の升目のピッチを縦方向のピッチとし、当該線数40線に前記所定線数と異なる線数足した40＜線数≦45の升目のピッチを横方向のピッチとした画素層８を、線数45線の紗体における平凸レンズ状集光素層３に対しては該線数45線に所定線数足した45＜線数≦50の升目のピッチを縦方向のピッチとし、当該線数45線に前記所定線数と異なる線数足した45＜線数≦50の升目のピッチを横方向のピッチとした画素層８を、線数50線の紗体における平凸レンズ状集光素層３に対しては該線数50線に所定線数足した50＜線数≦55の升目のピッチを縦方向のピッチとし、当該線数50線に前記所定線数と異なる線数足した50＜線数≦55の升目のピッチを横方向のピッチとした画素層８を形成すればよい。
【００５６】
実施の形態３．
【００５７】
図１４は本実施の形態に係る虚像現出装飾体における平凸レンズ状集光素と画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。図１５は図１４に示す虚像現出装飾体を模型的に示した部分縦断面図であり、図１５の（ａ）は図１４に示す虚像現出装飾体のＡ−Ａ断面図であり、図１５の（ｂ）は図１４に示す虚像現出装飾体のＢ−Ｂ断面図である。図１６は図１４に示す虚像現出装飾体によって現出する各虚像の上下の位置関係を説明する図であり、図１６の（ａ）は虚像現出装飾体をＸ方向から目視した場合に現出する虚像を示しており、図１６の（ｂ）は虚像現出装飾体をＹ方向から目視した場合に現出する虚像を示している。また、図１７は平凸レンズ状集光素と画素とによって形成される虚像を図形化した平面図であり、図１７の（ａ）は虚像現出装飾体をＸ方向から目視した場合に現出する虚像を示しており、図１７の（ｂ）は虚像現出装飾体をＹ方向から目視した場合に現出する虚像を示している。これらの図において、図１〜図６と同一符号は同一又は相当部分を示す。
【００５８】
本実施の形態における虚像現出装飾体２４は、図１５に示すように、スクリーン印刷により透明基板４の表面に、前記実施の形態１と同様にして平凸レンズ状集光素２を印刷した平凸レンズ状集光素層３と、平凸レンズ状集光素層３の下に積層された透明基板４からなる透明基板層５と、透明フィルム６にパーソナルコンピュータにて、編集処理アプリケーションを用いて図１４において縦方向の画素（円形画素）７のピッチを平凸レンズ状集光素層３を形成した紗体の線数から所定線数引いた近い線数からなる紗体を形成する紗線によってできる升目を単位として該升目のピッチと同一ピッチとし、横方向の画素７のピッチを平凸レンズ状集光素層３を形成した紗体の線数から前記所定線数未満の線数引いた近い線数からなる紗体を形成する紗線によってできる升目を単位として該升目のピッチと同一ピッチとして画素（円形画素）７を多数縦横に整列させた画素配置の画像データを得た外は、前記実施の形態１と同様にして形成された画素層８とから構成され、図１４に示すように、平凸レンズ状集光素２と画素７とが上下において重なる基準集光素２’と基準画素７’とからなる組を有するように張り合わせ、基準画素列９’と等距離にある一組の他の画素列９が該各他の画素列９と対応する平凸レンズ状集光素列１０に対して基準画素列９’を中心軸として外側へ向かってずれると共に、基準画素列９’より外側の他の画素列９ほどずれる幅が大きくなり、かつ、基準画素行１１’と等距離にある一組の他の画素行１１が該各他の画素行１１に対応する平凸レンズ状集光素行１２に対して基準画素行１１’を中心軸として外側へ向かって前記画素列９におけるずれ幅より大きな幅でずれると共に、基準画素行１１’より外側の他の画素行１１ほどずれる幅が大きくなるように積層したものである。
【００５９】
虚像現出装飾体２４においては、図１４に示すように、基準集光素列１０’を中心として一定距離にある平凸レンズ状集光素列１０に対応する画素列９が該平凸レンズ状集光素列１０に対してずれる幅と、基準集光素行１２’を中心として前記一定距離と同じ距離にある平凸レンズ状集光素行１２に対応する画素行１１が該平凸レンズ状集光素行１２に対してずれる幅とが異なっているので、画素７の形状が変形された拡大虚像が現出する（図１７参照）。
【００６０】
そして、図１６の（ａ）に示すように、当該虚像現出装飾体２４をＸ方向（図１４参照）より上から目視した場合には、Ｘ方向に対して平行に位置する基準画素行１１’と等距離にある一組の他の画素行１１が該各他の画素行１１に対応する平凸レンズ状集光素行１０に対して基準画素行１１’を中心軸として外側へ向かってずれていると共に、基準画素行１１’より外側に他の画素行１１ほどずれる幅が大きくなっているので、円形画素７が変形された拡大虚像２５（図１７の（ａ）参照）が基準画素７’を中心として、平凸レンズ状集光素層３の手前（上方）に浮かんで見える。
【００６１】
また、図１６の（ｂ）に示すように、当該虚像現出装飾体２４をＹ方向（図１４参照）より上から目視した場合には、Ｙ方向に対して平行に位置する基準画素列９’と等距離にある一組の他の画素列９が該各他の画素列９に対応する平凸レンズ状集光素列１２に対して基準画素列９’を中心軸として外側へ向かって前記画素行１１におけるずれる幅よりも大きい幅でずれると共に、基準画素列９’より外側に他の画素列９ほどずれる幅が大きくなっているので、円形画素７が変形された拡大虚像２６（図１７の（ｂ）参照）が基準画素７’を中心として、前記拡大虚像２５の高さ位置よりも上方の高さ位置に浮かんで見える。
【００６２】
なお、虚像現出装飾体２４をＸ方向から目視した場合に現出する虚像２５（図１６の（ａ）参照）よりもＹ方向から目視した場合に現出する虚像２６（図１６の（ｂ）参照）の方がより上方の高さ位置に浮かんで現出するのは、基準集光素列１０’を中心として一定距離にある平凸レンズ状集光素列１０に対応する画素列９が該平凸レンズ状集光素列１０に対してずれる幅よりも、基準集光素行１２’を中心として前記一定距離と同じ距離にある平凸レンズ状集光素行１２に対応する画素行１１が該平凸レンズ状集光素行１２に対してずれる幅の方が大きいためである。
【００６３】
具体的には、例えば、厚さ１mmの樹脂製透明基板４（透明基板層５）の表面に線数20線の紗体にて平凸レンズ状集光素２を印刷して平凸レンズ状集光素層３を形成した場合には、当該平凸レンズ状集光素層３を形成した紗体の線数20線から所定線数引いた16≦線数＜20を満足する紗体の升目のピッチを縦方向のピッチとし、該平凸レンズ状集光素層３を形成した紗体の線数20線から前記所定線数と異なる線数引いた16≦線数＜20を満足する紗体の升目のピッチを横方向のピッチとして画素７を形成した透明フィルム６（画素層８）を作成すればよく、線数25線の紗体における平凸レンズ状集光素層３に対しては該線数25線から所定線数引いた20≦線数＜25の升目のピッチを縦方向のピッチとし、当該線数25線から前記所定線数と異なる線数引いた20≦線数＜25の升目のピッチを横方向のピッチとした画素層８を、線数30線の紗体における平凸レンズ状集光素層３に対しては該線数30線から所定線数引いた24≦線数＜30の升目のピッチを縦方向のピッチとし、当該線数30線から前記所定線数と異なる線数引いた24≦線数＜30の升目のピッチを横方向のピッチとした画素層８を、線数35線の紗体における平凸レンズ状集光素層３に対しては該線数35線から所定線数引いた28≦線数＜35の升目のピッチを縦方向のピッチとし、当該線数35線から前記所定線数と異なる線数引いた28≦線数＜35の升目のピッチを横方向のピッチとした画素層８を、線数40線の紗体における平凸レンズ状集光素層３に対しては該線数40線から所定線数引いた32≦線数＜40の升目のピッチを縦方向のピッチとし、当該線数40線から前記所定線数と異なる線数引いた32≦線数＜40の升目のピッチを横方向のピッチとした画素層８を、線数45線の紗体における平凸レンズ状集光素層３に対しては該線数45線から所定線数引いた36≦線数＜45の升目のピッチを縦方向のピッチとし、当該線数45線から前記所定線数と異なる線数引いた36≦線数＜45の升目のピッチを横方向のピッチとした画素層８を、線数50線の紗体における平凸レンズ状集光素層３に対しては該線数50線から所定線数引いた45≦線数＜50の升目のピッチを縦方向のピッチとし、当該線数50線から前記所定線数と異なる線数引いた45≦線数＜50の升目のピッチを横方向のピッチとした画素層８を、線数55線の紗体における平凸レンズ状集光素層３に対しては該線数55線から所定線数引いた45≦線数＜55の升目のピッチを縦方向のピッチとし、当該線数55線から前記所定線数と異なる線数引いた45≦線数＜55の升目のピッチを横方向のピッチとした画素層８を、線数60線の紗体における平凸レンズ状集光素層３に対しては該線数60線から所定線数引いた50≦線数＜60の升目のピッチを縦方向のピッチとし、当該線数60線から前記所定線数と異なる線数引いた50≦線数＜60の升目のピッチを横方向のピッチとした画素層８を、線数65線の紗体における平凸レンズ状集光素層３に対しては該線数65線から所定線数引いた55≦線数＜65の升目のピッチを縦方向のピッチとし、当該線数65線から前記所定線数と異なる線数引いた55≦線数＜65の升目のピッチを横方向のピッチとした画素層８を、線数70線の紗体における平凸レンズ状集光素層３に対しては該線数70線から所定線数引いた60≦線数＜70の升目のピッチを縦方向のピッチとし、当該線数70線から前記所定線数と異���る線数引いた60≦線数＜70の升目のピッチを横方向のピッチとした画素層８を形成すればよい。
【００６４】
また、例えば、厚さ３mmの樹脂製透明基板４（透明基板層５）の表面に線数15線の紗体にて平凸レンズ状集光素２を印刷して平凸レンズ状集光素層３を形成した場合には、当該平凸レンズ状集光素層３を形成した紗体の線数15線から所定線数引いた線数である13≦線数＜15を満足する紗体の升目のピッチを縦方向のピッチとし、該平凸レンズ状集光素層３を形成した紗体の線数15線から前記所定線数と異なる線数引いた線数である13≦線数＜15を満足する紗体の升目のピッチを横方向のピッチとして画素７を形成した透明フィルム６（画素層８）を作成すればよく、線数20線の紗体における平凸レンズ状集光素層３に対しては該線数20線から所定線数引いた15≦線数＜20の升目のピッチを縦方向のピッチとし、当該線数20線から前記所定線数と異なる線数引いた15≦線数＜20の升目のピッチを横方向のピッチとした画素層８を、線数25線の紗体における平凸レンズ状集光素層３に対しては該線数25線から所定線数引いた18≦線数＜25の升目のピッチを縦方向のピッチとし、当該線数25線から前記所定線数と異なる線数引いた18≦線数＜25の升目のピッチを横方向のピッチとした画素層８を、線数30線の紗体における平凸レンズ状集光素層３に対しては該線数30線から所定線数引いた23≦線数＜30の升目のピッチを縦方向のピッチとし、当該線数30線から前記所定線数と異なる線数引いた23≦線数＜30の升目のピッチを横方向のピッチとした画素層８を、線数35線の紗体における平凸レンズ状集光素層３に対しては該線数35線から所定線数引いた28≦線数＜35の升目のピッチを縦方向のピッチとし、当該線数35線から前記所定線数と異なる線数引いた28≦線数＜35の升目のピッチを横方向のピッチとした画素層８を、線数40線の紗体における平凸レンズ状集光素層３に対しては該線数40線から所定線数引いた30≦線数＜40の升目のピッチを縦方向のピッチとし、当該線数40線から前記所定線数と異なる線数引いた30≦線数＜40の升目のピッチを横方向のピッチとした画素層８を、線数45線の紗体における平凸レンズ状集光素層３に対しては該線数45線から所定線数引いた40≦線数＜45の升目のピッチを縦方向のピッチとし、当該線数45線から前記所定線数と異なる線数引いた40≦線数＜45の升目のピッチを横方向のピッチとした画素層８を、線数50線の紗体における平凸レンズ状集光素層３に対しては該線数50線から所定線数引いた45≦線数＜50の升目のピッチを縦方向のピッチとし、当該線数50線から所定線数引いた45≦線数＜50の升目のピッチを横方向のピッチとした画素層８を形成すればよい。
【００６５】
実施の形態４．
【００６６】
図１８は形状が異なる２種類の画素を縦横において異なるピッチとなるように多数整列させて形成してなる画素層の平面図であり、図１９は拡大された２種類の画素の虚像が重なった状態で見える虚像現出装飾体における平凸レンズ状集光素と２種類の画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。また、図２０は平凸レンズ状集光素と２種類の画素とによって形成される虚像を図形化した平面図であり、図２０の（ａ）は虚像現出装飾体をＸ方向から目視した場合に現出する虚像を示しており、図２０の（ｂ）は虚像現出装飾体をＹ方向から目視した場合に現出する虚像を示している。これらの図において、図１〜図９と同一符号は同一又は相当部分を示す。
【００６７】
本実施の形態における虚像現出装飾体１は、図２に示すように、スクリーン印刷により透明基板４の表面に、前記実施の形態１と同様に平凸レンズ状集光素２を印刷して平凸レンズ状集光素層３とし、透明フィルム６に円形の画素７ａと該画素７ａの円形に収まる大きさの笑顔の画素７ｂとを上下左右にて交互に配置するパターンとした外は、前記実施の形態１と同様に画素７ａ，７ｂを多数縦横に整列させて形成して画素層８とし、平凸レンズ状集光素層３が形成されていない透明基板４の片面に、図１９に示すように、画素層８を平凸レンズ状集光素２と円形の画素７ａとが上下において重なる基準集光素２’と基準画素７ａ’とからなる組を有するように張り合わせ、基準画素列９’と等距離にある一組の他の画素列９が該各他の画素列９と対応する平凸レンズ状集光素列１０に対して基準画素列９’を中心軸として内側へ向かってずれると共に、基準画素列９’より外側の他の画素列９ほどずれる幅が大きくなり、かつ、基準画素行１１’と等距離にある一組の他の画素行１１が該各他の画素行１１に対応する平凸レンズ状集光素行１２に対して基準画素行１１’を中心軸として外側へ向かって前記画素列９におけるずれ幅と同じ幅でずれると共に、基準画素行１１’より外側の他の画素行１１ほどずれる幅が大きくなるように積層したものである。
【００６８】
本実施の形態のように平凸レンズ状集光素層３と画素層８とを積層すれば、円形画素７ａについてのみに注目した場合には、基準画素列９’と等距離にある一組の他の画素列９が該各他の画素列９と対応する平凸レンズ状集光素列１０に対して基準画素列９’を中心軸として内側へ向かってずれていると共に、基準画素行１１’と等距離にある一組の他の画素行１１が該各他の画素行１１に対応する平凸レンズ状集光素行１２に対して基準画素行１１’を中心軸として外側へ向かって前記画素列９におけるずれ幅と同じ幅でずれており、また、笑顔の画素７ｂについてのみに注目した場合には、基準画素７ａ’の隣の画素７ｂは該隣の画素７ｂと対応する平凸レンズ状集光素２と上下において完全には重なっていないが、隣の画素７ｂを含む画素列９と等距離にある一組の他の画素列９が該各他の画素列９と対応する平凸レンズ状集光素列１０に対して該隣の画素７ｂを含む画素列９を中心軸として内側へ向かってずれていると共に、隣の画素７ｂを含む画素行１１と等距離にある一組の他の画素行１１が該各他の画素行１１に対応する平凸レンズ状集光素行１２に対して隣の画素７ｂを含む画素行１１を中心軸として外側へ向かって前記画素列９におけるずれ幅と同じ幅でずれている。
【００６９】
従って、基準画素７ａ’を中心として円形の画素７ａと同一形状の拡大された虚像が現出すると共に、隣の画素７ｂを中心として笑顔の画素７ｂと同一形状の拡大された虚像が現出するので、虚像現出装飾体１をＸ方向（図１９参照）から目視した場合には、図２０の（ａ）に示すように、円形の画素７ａと同一形状の拡大された虚像１７ａと笑顔の画素７ｂと同一形状の拡大された虚像１７ｂとが重なった状態の虚像２７が平凸レンズ状集光素層３の手前（上方）に浮かんで見え、Ｙ方向（図１９参照）から目視した場合には、図２０の（ｂ）に示すように、円形の画素７ａと同一形状の拡大された虚像２０ａと笑顔の画素７ｂと同一形状の拡大された虚像２０ｂとが重なった状態の虚像２８が平凸レンズ状集光素層３の奥（下方）に沈んで見える。
【００７０】
実施の形態５．
【００７１】
図２１は形状が異なる２種類の画素を縦横において異なるピッチとなるように多数整列させて形成してなる画素層の平面図であり、図２２は拡大された２種類の画素の虚像が重なった状態で見える虚像現出装飾体における平凸レンズ状集光素と２種類の画素との位置関係を説明する図であり、これらの図において、図１〜図９及び図１８〜図２０と同一符号は同一又は相当部分を示す。
【００７２】
本実施の形態における虚像現出装飾体１は、図２に示すように、スクリーン印刷により透明基板４の表面に、前記実施の形態１と同様に平凸レンズ状集光素２を印刷して平凸レンズ状集光素層３とし、透明フィルム６に円形の画素７ａと該画素７ａの円形に収まる大きさの笑顔の画素７ｂとを横方向において交互となり、縦方向において同一となるパターンで配置した外は、前記実施の形態１と同様に多数縦横に整列させて形成して画素層８とし、平凸レンズ状集光素２が形成されていない透明基板４の片面に、図２２に示すように、画素層８を平凸レンズ状集光素２と円形の画素７ａとが上下において完全に重なる基準集光素２’と基準画素７ａ’とからなる組を有するように張り合わせ、基準画素列９’と等距離にある一組の他の画素列９が該各他の画素列９と対応する平凸レンズ状集光素列１０に対して基準画素列９’を中心軸として内側へ向かってずれると共に、基準画素列９’より外側の他の画素列９ほどずれる幅が大きくなり、かつ、基準画素行１１’と等距離にある一組の他の画素行１１が該各他の画素行１１に対応する平凸レンズ状集光素行１２に対して基準画素行１１’を中心軸として外側へ向かって前記画素列９のずれ幅と同じ幅でずれると共に、基準画素行１１’より外側の他の画素行１１ほどずれる幅が大きくなるように積層したものである。
【００７３】
本実施の形態においても、基準画素７ａ’を中心として円形の画素７ａと同一形状の拡大された虚像が現出すると共に、隣の画素７ｂを中心として笑顔の画素７ｂと同一形状の拡大された虚像が現出するので、虚像現出装飾体１をＸ方向（図２２参照）から目視した場合には、図２０の（ａ）に示すように、円形の画素７ａと同一形状の拡大された虚像１７ａと笑顔の画素７ｂと同一形状の拡大された虚像１７ｂとが重なった状態の虚像２７が平凸レンズ状集光素層３の手前（上方）に浮かんで見え、Ｙ方向（図２２参照）から目視した場合には、図２０の（ｂ）に示すように、円形の画素７ａと同一形状の拡大された虚像２０ａと笑顔の画素７ｂと同一形状の拡大された虚像２０ｂとが重なった状態の虚像２８が平凸レンズ状集光素層３の奥（下方）に沈んで見える。
【００７４】
画素層８は、円形の画素７ａと笑顔の画素７ｂとを縦方向において交互となり、横方向において同一となるパターンにて多数縦横に整列させて形成してもよい。
【００７５】
なお、実施の形態４及び５において、笑顔の画素７ｂを基準画素としてもよく、２種類の画素７ａ，７ｂの色を互いに異なる色としてもよい。
【００７６】
また、虚像現出装飾体を目視する方向によって虚像が平凸レンズ状集光素層３の奥（下方）の異なる深さ位置に見えるように、縦方向の画素７ａ，７ｂのピッチを平凸レンズ状集光素層３を形成した紗体の線数に所定線数足した近い線数からなる紗体を形成する紗線によってできる升目を単位として該升目のピッチと同一ピッチとし、横方向の画素７ａ，７ｂのピッチを平凸レンズ状集光素層３を形成した紗体の線数に前記所定線数と異なる線数足した近い線数からなる紗体を形成する紗線によってできる升目を単位として該升目のピッチと同一ピッチとして円形の画素７ａと笑顔の画素７ｂとを多数縦横に整列させて形成して画素層８としてもよく、さらに、虚像現出装飾体を目視する方向によって虚像が平凸レンズ状集光素層３の手前（上方）の異なる高さ位置に見えるように、縦方向の画素７ａ，７ｂのピッチを平凸レンズ状集光素層３を形成した紗体の線数から所定線数引いた近い線数からなる紗体を形成する紗線によってできる升目を単位として該升目のピッチと同一ピッチとし、横方向の画素７ａ，７ｂのピッチを平凸レンズ状集光素層３を形成した紗体の線数から前記所定線数と異なる線数引いた近い線数からなる紗体を形成する紗線によってできる升目を単位として該升目のピッチと同一ピッチとして円形の画素７ａと笑顔の画素７ｂとを多数縦横に整列させて形成してが画素層８としてもよい。ただし、この場合には画素を変形させた拡大虚像が現出する。
【００７７】
実施の形態６．
【００７８】
図２３は形状が異なる２種類の画素を縦横において異なるピッチとなるように整列させて形成してなる画素層の平面図であり、図２４は拡大された２種類の画素の虚像が重なった状態で見える虚像現出装飾体における平凸レンズ状集光素と２種類の画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。また、図２５は平凸レンズ状集光素と２種類の画素とによって形成される虚像を図形化した平面図であり、図２５の（ａ）は虚像現出装飾体をＸ方向から目視した場合に現出する虚像を示しており、図２５の（ｂ）は虚像現出装飾体をＹ方向から目視した場合に現出する虚像を示している。これらの図において、図１〜図９及び図１８〜図２２と同一符号は同一又は相当部分を示す。
【００７９】
本実施の形態における画素層８は、図２３に示すように、笑顔の虚像２９，３０（図２５参照）の目の部分と相似形状である画素７ｃと該笑顔の虚像２９，３０の口の部分と相似形状である画素７ｄとを縦横交互に配置した同一パターン縦横において異なるピッチとなるように多数整列させて形成したものであり、画素７ｃ又は画素７ｄの一方の画素について見れば、同一形状・同一大きさの該画素が縦横において異なるピッチとなるように多数整列したものである。
【００８０】
本実施の形態においては、基準画素７ｃ’を中心として画素７ｃと同一形状の拡大された虚像が現出すると共に、隣の画素７ｄを中心として画素７ｄと同一形状の拡大された虚像が現出するので、虚像現出装飾体１をＸ方向（図２４参照）から目視した場合には、図２５の（ａ）に示すように、画素７ｃと同一形状の拡大された虚像１７ｃと画素７ｄと同一形状の拡大された虚像１７ｄとが重なった状態の虚像２９が平凸レンズ状集光素層３の手前（上方）に浮かんで見え、Ｙ方向（図２４参照）から目視した場合には、図２５の（ｂ）に示すように、画素７ｃと同一形状の拡大された虚像２０ｃと画素７ｄと同一形状の拡大された虚像２０ｄとが重なった状態の虚像３０が平凸レンズ状集光素層３の奥（下方）に沈んで見える。
【００８１】
なお、本発明における「重なった状態の虚像」とは、本実施の形態における虚像のように２種類の虚像が合成された状態のものを含むものである。
【００８２】
実施の形態７．
【００８３】
図２６は形状が異なる３種類の画素を縦横において異なるピッチとなるように多数整列させて形成してなる画素層の平面図である。本実施の形態は、前記実施の形態４、５及び６における画素層の変形例であり、画素層８は、○印形状の画素、△印形状の画素及び×印形状の画素を同一パターンで整列して形成されている。
【００８４】
図２６の（ａ）に示す画素層は前記３種類の画素を横方向において交互となり、縦方向において同一となるパターンで多数整列させて形成したものであり、図２６の（ｂ）に示す画素層は前記３種類の画素を縦方向において交互となり、横方向において同一となるパターンで多数整列させて形成してたものであり、図２６の（ｃ）に示す画素層は前記３種類の画素を縦横交互に同一パターンで多数整列させて形成したものである。従って、画素層は前記○印形状の画素と前記△印形状の画素と前記×印形状の画素との３種類の画素からなり、当該３種類の画素が同一パターンで縦横において異なるピッチとなるように多数整列していて、一画素について見れば同一形状・同一大きさの該一画素が縦横において異なるピッチとなるように多数整列したものとなっている。
【００８５】
このように、複数種類の画素からなる画素層は、種類の異なる各画素を均等に分散させて同一パターンで繰り返されるように形成すればよい。
【００８６】
本実施の形態における画素層を使用しても、前記実施の形態４、５及び６と同様の作用・効果を得ることができる。
【００８７】
実施の形態８．
【００８８】
本実施の形態に係る虚像現出装飾体は、平凸レンズ状集光素層と複数の画素層とを積層してなるものであり、図２７は画素層を二層積層してなる虚像現出装飾体を模型的に示した部分縦断面図であり、平凸レンズ状集光素と画素とが上下において重なっている箇所を通って切断されている。図２８は図２７に示す虚像現出装飾体において現出する各虚像の上下の位置関係を説明する図であり、図２８の（ａ）は図２７に示す虚像現出装飾体を縦方向から目視した場合に現出する虚像を示した図であり、図２８の（ｂ）は図２７に示す虚像現出装飾体を横方向から目視した場合に現出する虚像を示した図であり、図中、第一画素層により現出する虚像を一点鎖線にて示し、第二画素層により現出する虚像を二点鎖線にて示している。図２９は本実施の形態に係る別の虚像現出装飾体において現出する各虚像の上下の位置関係を説明する図であり、図２９の（ａ）は虚像現出装飾体を縦方向から目視した場合に現出する虚像を示した図であり、図２９の（ｂ）は虚像現出装飾体を横方向から目視した場合に現出する虚像を示した図であり、図中、第一画素層により現出する虚像を一点鎖線にて示し、第三画素層により現出する虚像を二点鎖線にて示している。図３０は本実施の形態に係る別の虚像現出装飾体において現出する各虚像の上下の位置関係を説明する図であり、図３０の（ａ）は虚像現出装飾体を縦方向から目視した場合に現出する虚像を示した図であり、図３０の（ｂ）は虚像現出装飾体を横方向から目視した場合に現出する虚像を示した図であり、図中、第一画素層により現出する虚像を一点鎖線にて示し、第四画素層により現出する虚像を二点鎖線にて示している。これらの図において、図１〜図２６と同一符号は同一又は相当部分を示す。
【００８９】
図２７及び図２８に示す虚像現出装飾体３１は、平凸レンズ状集光素層３と第一画素層３２と第二画素層３３とからなり、平凸レンズ状集光素層３はスクリーン印刷により透明基板４の表面に10≦線数≦70を満足する紗体を形成する紗線によってできた升目を単位として平凸レンズ状集光素２を印刷してなるものであり、第一画素層３２は第一透明フィルム６ａに第一画素３４を前記実施の形態１と同様に形成してなるものであり、第二画素層３３は第二透明フィルム６ｂに縦方向のピッチを前記紗体の線数に所定線数足した近い線数からなる紗体を形成する紗線によってできる升目を単位として該升目のピッチと同一ピッチとし、横方向のピッチを前記紗体の線数から前記所定線数と同じ線数引いた近い線数からなる紗体を形成する紗線によってできる升目を単位として該升目のピッチと同一ピッチとして第二画素３５を形成してなるものである。
【００９０】
そして、平凸レンズ状集光素２が形成されていない透明基板４の片面に、第一画素層３２を平凸レンズ状集光素９と第一画素３４とが上下において重なる基準集光素９’と基準第一画素３４’とからなる組を有するようにした外は前記実施の形態１と同様にして積層し、さらに、第一画素層３２に、第二画素層３３を第二画素３５が当該基準集光素９’と上下において重なる基準第二画素３５’を有し、かつ、当該第二画素層３３の基準画素列９’と第一画素層３２の基準画素行１１’とが上下において重なると共に、当該第二画素層３３の基準画素行１１’と第一画素層３２の基準画素列９’とが重なるように張り合わせ、基準第二画素３５’を含む基準画素列９’と等距離にある一組の他の画素列９が該各他の画素列９と対応する平凸レンズ状集光素列１０に対して基準画素列９’を中心軸として外側へ向かってずれると共に、基準画素列９’より外側の他の画素列９ほどずれる幅が大きくなり、かつ、基準第二画素３５’を含む基準画素行１１’と等距離にある一組の他の画素行１１が該各他の画素行１１に対応する平凸レンズ状集光素行１２に対して基準画素行１１’を中心軸として内側へ向かって前記画素列９におけるずれ幅と同じ幅でずれると共に、基準画素行１１’より外側の他の画素行１１ほどずれる幅が大きくなるように積層する。
【００９１】
虚像現出装飾体３１においては、当該虚像現出装飾体３１を縦方向から目視した場合には、第一画素３４の横方向のピッチが平凸レンズ状集光素２のピッチよりも小さいのに対して、第二画素３５の横方向のピッチが平凸レンズ状集光素２のピッチよりも大きいため、図２８の（ａ）に示すように、第一画素３４と同一形状の拡大された第一虚像３６が基準第一画素３４’を中心として虚像現出装飾体３１の下方に現出すると共に、第二画素３５と同一形状の拡大された第二虚像３７が基準第二画素３５’を中心として虚像現出装飾体の手前（上方）に現出する。
【００９２】
また、当該虚像現出装飾体３１を横方向から目視した場合には、第一画素３４の縦方向のピッチが平凸レンズ状集光素２のピッチよりも大きいのに対して、第二画素３５の縦方向のピッチが平凸レンズ状集光素２のピッチよりも小さいため、図２８の（ｂ）に示すように、第一画素３４と同一形状の拡大された第一虚像３６’が基準第一画素３４’を中心として虚像現出装飾体３１の上方に現出すると共に、第二画素３５と同一形状の拡大された第二虚像３７’が基準第二画素３５’を中心として虚像現出装飾体の奥（下方）に現出する。
【００９３】
なお、平凸レンズ状集光素層３に第二画素層３３を張り合わせて積層し、次に、第一画素層３２を張り合わせて積層しても同様の効果を得ることができる。
【００９４】
次に、図２９に示す虚像現出装飾体３８は前記平凸レンズ状集光素層３と前記第一画素層３２と第三画素層３９とからなり、第三画素層３９は透明フィルムに第三画素（図示せず。）を前記実施の形態２と同様に形成してなるものである。
【００９５】
そして、第一画素層３２を前記虚像現出装飾体３１の場合と同様に積層し、さらに、第一画素層３２に第三画素層３９を平凸レンズ状集光素２と第一画素とが完全に重なる基準集光素９’から少し離れた位置にある第二基準集光素（図示せず。）と第三画素とが上下において重なる組を有するように張り合わせた外は前記実施の形態２と同様にして積層する。
【００９６】
虚像現出装飾体３８においては、当該虚像現出装飾体３８を縦方向から目視した場合には、平凸レンズ状集光素２のピッチと第三画素の横方向のピッチとの差が平凸レンズ状集光素２のピッチと第一画素の横方向のピッチとの差よりも小さいので、第二基準集光素を中心として平凸レンズ状集光素２と重なる第三画素が基準集光素９’を中心として平凸レンズ状集光素２と重なる第一画素における場合より広い範囲に渡って存在し、第三画素層３９では第一画素層３２における場合より拡大された像が形成されて、左右の目でそれぞれこの像を目視すればより大きくずれるから、図２９の（ａ）に示すように、第一画素と同一形状の拡大された第一虚像３６が基準集光素９’を中心として虚像現出装飾体３８の奥（下方）に現出すると共に、第三画素が変形された第三虚像４０が第二基準集光素を中心として第一虚像３６の深さ位置より下方の深さ位置に一部重なる状態で現出する。
【００９７】
また、虚像現出装飾体３８を横方向から目視した場合には、第一画素３４の縦方向のピッチが平凸レンズ状集光素２のピッチよりも大きいのに対して、第三画素の縦方向のピッチが平凸レンズ状集光素２のピッチよりも小さいため、図２９の（ｂ）に示すように、第三虚像４０’が奥（下方）に沈んで見え、第一虚像３６’が第三虚像４０’と一部重なる状態で手前（上方）に浮いて見える。
【００９８】
さらに、図３０に示す虚像現出装飾体４１は、前記平凸レンズ状集光素層３と前記第一画素層３２と第四画素層４２とからなり、第四画素層４２は透明フィルムに第四画素（図示せず。）を前記実施の形態３と同様にして形成したものである。
【００９９】
そして、前記第一画素層３２を前記虚像現出装飾体３８の場合と同様に積層し、さらに、第一画素層３２に第四画素層４２を第一画素層３２における基準集光素から離れた位置にある第三基準集光素（図示せず。）と第四画素とが上下において重なる組を有するように張り合わせた外は前記実施の形態３と同様に積層する。
【０１００】
虚像現出装飾体４１においては、当該虚像現出装飾体４１を縦方向から目視した場合には、第一画素３４の横方向のピッチが平凸レンズ状集光素２のピッチよりも小さいのに対して、第四画素の横方向のピッチが平凸レンズ状集光素２のピッチよりも大きいため、図３０の（ａ）に示すように、第四虚像４３が手前（上方）に浮いて見え、第一虚像３６が当該第四虚像４３と離れた状態で奥（下方）に沈んで見える。
【０１０１】
また、当該虚像現出装飾体４１を横方向から目視した場合には、平凸レンズ状集光素２のピッチと第一画素の縦方向のピッチとの差が平凸レンズ状集光素２のピッチと第四画素の縦方向のピッチとの差よりも小さいため、図３０の（ｂ）に示すように、第四画素が変形された第四虚像４３’が第三基準集光素を中心として虚像現出装飾体４１の手前（上方）に現出すると共に、第一画素と同一形状の拡大された第一虚像３６’が基準集光素９’を中心として第四虚像４３’の高さ位置より上方の高さ位置に離れた状態で現出する。
【０１０２】
なお、本実施の形態においては第一画素層と第二画素層、第一画素層と第三画素層及び第一画素層と第四画素層の組み合わせによって虚像現出装飾体を形成したが、これらの組み合わせに限らず他の組み合わせによって虚像現出装飾体を形成してもよい。
【０１０３】
また、画素層は２層のものに限らず複数層としてもよい。
【０１０４】
さらに、本実施の形態においては、画素層を２層積層することにより、虚像を上下の位置関係になるように現出させたが、一枚の透明フィルムの一方面に一方の画素を形成し、他方面に他方の画素を形成しても虚像を上下の位置関係になるように現出させることができる。
【０１０５】
実施の形態９．
【０１０６】
図３１は本実施の形態に係る虚像現出装飾体における平凸レンズ状集光素と画素との位置関係を説明する図であり、図中、画素列、画素行及び基本画素列を実線、平凸レンズ状集光素列及び平凸レンズ状集光素行を点線、基準画素列及び基準集光素列を一点鎖線、基準画素行及び基準集光素行を二点鎖線にて示している。図３２は図３１に示す虚像現出装飾体の平凸レンズ状集光素と画素とによって形成される虚像を図形化した平面図であり、図３２の（ａ）に虚像現出装飾体をＸ方向から目視した場合に現出する虚像を示しており、図３２の（ｂ）に虚像現出装飾体をＹ方向から目視した場合に現出する虚像を示しており、これらの図において、図中、基本画素列を実線にて示している。図１〜図９と同一符号は同一又は相当部分を示す。
【０１０７】
本実施の形態における虚像現出装飾体４４は、前記実施の形態１と同様にスクリーン印刷により透明基板４の表面に平凸レンズ状集光素２を印刷して平凸レンズ状集光素層３とし、透明フィルム６に、図３１に示すように、パーソナルコンピュータにて、編集処理アプリケーションを用いて縦方向のピッチを平凸レンズ状集光素層３を形成した紗体の線数を一定線数下回る近い線数からなる紗体を形成する紗線によってできる升目を単位として該升目のピッチと同一ピッチとし、横方向のピッチを平凸レンズ状集光素層３を形成した紗体の線数を前記一定線数と同じ線数上回る近い線数からなる紗体を形成する紗線によってできる升目を単位として該升目のピッチと同一ピッチとして縦横において異なるピッチとなるように多数整列される画素７を、一の画素列（以下、「基本画素列」という。）４５上に配置される画素７を残した状態で、当該基本画素列４５から離れた他の画素列９上に配置される画素７ほど小さくなるように多数縦横に整列させた画素配置の画像データを得た外は、前記実施の形態１と同様に積層したものである。
【０１０８】
本実施の形態においては、虚像現出装飾体４４をＸ方向（図３１参照）から目視した場合には、図３２の（ａ）に示すように、基本画素列４５から離れるに従って縮小する多数縦横に整列した円形の画素７と同一形状の拡大された虚像１７が、平凸レンズ状集光素３の手前（上方）に浮かんで見え、Ｙ方向（図３１参照）から目視した場合には、図３２の（ｂ）に示すように、基本画素列４５から離れるに従って縮小する多数縦横に整列した円形の画素７と同一形状の拡大された虚像２０が、平凸レンズ状集光素層３の奥（下方）に沈んで見える。
【０１０９】
実施の形態１０．
【０１１０】
図３３は本実施の形態における画素層の画素の配置を説明する図であり、図中、傾斜した画素列（実線にて示す。）は紗体を形成する紗線によってできる升目を単位として該升目のピッチと同一ピッチで縦横に整列させた画素の列を同じ傾斜角θにて同一方向に傾斜させて配置したものであり、傾斜させる前の行及び列の位置を点線にて示ている。図３４は本実施の形態に係る虚像現出装飾体における平凸レンズ状集光素と画素との位置関係を説明する図であり、図中、画素列及び画素行を実線、平凸レンズ状集光素列及び平凸レンズ状集光素行を点線、基準画素列及び基準集光素列を一点鎖線、基準画素行及び基準集光素行を二点鎖線にて示している。これらの図において、図１〜図９と同一符号は同一又は相当部分を示す。
【０１１１】
本実施の形態に係る虚像現出装飾体４６は、前記実施の形態１と同様にしてスクリーン印刷により透明基板４の表面に平凸レンズ状集光素２を印刷して平凸レンズ状集光素層３とし、図３３に示すように、平凸レンズ状集光素層３を形成した紗体の線数と同一の線数からなる紗体を形成する紗線によってできる升目を単位として該升目のピッチと同一ピッチで円形の画素７が縦横に多数整列された画素配置（図３３中、点線によって示された画素配置）をパーソナルコンピュータにて、編集処理アプリケーションを用いて各画素列４７を同じ傾斜角θにて、前記画素配置における一の画素行４８上に配置された画素７を中心として同一方向に傾斜させた画素配置の画像データを得た外は前記実施の形態１と同様に透明フィルム６に画素７を形成して画素層とし、図３４に示すように、平凸レンズ状集光素層３が形成されていない透明基板４の片面に画素層を平凸レンズ状集光素２と画素７とが上下において重なる基準集光素２’と基準画素７’とからなる組を有するように配置し、基準画素７’を含む基準画素列４９と等距離にある一組の他の画素列５０が該各他の画素列５０と対応する平凸レンズ状集光素列５１に対して基準画素列４９を中心軸として内側へ向かってずれると共に、基準画素列４９より外側の他の画素列５０ほどずれる幅が大きくなり、かつ、基準画素７’を含む基準画素行５２と等距離にある一組の他の画素行５３が該各他の画素行５３に対応する平凸レンズ状集光素行５４に対して基準画素行５２を中心軸として外側へ向かって前記画素列５０におけるずれ幅と同じ幅でずれると共に、基準画素行５２より外側の他の画素行５３ほどずれる幅が大きくなるように積層したものである。
【０１１２】
本実施の形態においては、虚像現出装飾体４６をＸ方向から目視した場合には円形の画素７と同一形状の拡大された虚像が、基準画素７’を中心として平凸レンズ状集光素層３の手前（上方）に浮いて現出し、また、Ｙ方向から目視した場合には円形の画素７と同一形状の拡大された虚像が、基準画素７’を中心として平凸レンズ状集光素層３の奥（下方）に沈んで現出する。
【０１１３】
なお、本実施の形態においては、平凸レンズ状集光素層３を形成した紗体の線数と異なる線数からなる紗体を形成する紗線によってできる升目を単位として該升目のピッチと同一ピッチで画素７を縦横に整列し、各画素列５０を同じ傾斜角θにて傾斜させた画素配置の画素層としてもよく、この場合には、当該画素層に形成された互いに隣り合う４つの画素７によってできるひし形の長対角線の長さが平凸レンズ状集光素層３に形成された互いに隣り合う４つの平凸レンズ状集光素２によってできる正方形の対角線の長さよりも長く、当該ひし形の短対角線の長さが当該正方形の対角線の長さよりも短くなるように画素７を整列させればよい。
【０１１４】
また、平凸レンズ状集光素層３を形成した紗体の線数を上回る近い線数からなる紗体を形成する紗線によってできる升目を単位として該升目のピッチと同一ピッチで画素７を縦横に整列し、各画素列５０を同じ傾斜角θにて傾斜させた画素配置の画素層を形成する際に、画素層に形成された互いに隣り合う４つの画素７によってできるひし形の長対角線及び短対角線の長さが共に、平凸レンズ状集光素層３に形成された互いに隣り合う４つの平凸レンズ状集光素２によってできる正方形の対角線の長さよりも短くなるようにすれば、前記実施の形態２と同様に、一方向より虚像現出装飾体を目視した場合には、画素７が変形された拡大虚像が基準画素７’を中心として平凸レンズ状集光素層の奥（下方）に沈んで見え、他方向より虚像現出装飾体を目視した場合には、画素７が変形された拡大虚像が基準画素７’を中心として前記拡大虚像の深さ位置よりも下方の深さ位置に沈んで見える。
【０１１５】
さらに、平凸レンズ状集光素層３を形成した紗体の線数を下回る近い線数からなる紗体を形成する紗線によってできる升目を単位として該升目のピッチと同一ピッチで画素７を縦横に整列し、各画素列５０を同じ傾斜角θにて傾斜させた画素配置の画素層を形成する際に、画素層に形成された互いに隣り合う４つの画素７によってできるひし形の長対角線及び短対角線の長さが共に、平凸レンズ状集光素層３に形成された互いに隣り合う４つの平凸レンズ状集光素２によってできる正方形の対角線の長さよりも長くなるようにすれば、前記実施の形態３と同様に、一方向より虚像現出装飾体を目視した場合には、画素７が変形された拡大虚像が基準画素７’を中心として平凸レンズ状集項素層の手前（上方）に浮かんで見え、他方向より虚像現出装飾体を目視した場合には、画素７が変形された拡大虚像が基準画素７’を中心として前記拡大虚像の高さ位置よりも上方の高さ位置に浮かんで見える。
【０１１６】
なお、前記実施の形態１〜１０において平凸レンズ状集光素２と画素７とが上下において完全に重なる基準集光素２’と基準画素７’とを有する虚像現出装飾体の場合においては、当該基準画素７’を含む基準画素列９’と等距離にある一組の他の画素列９が該各他の画素列９と対応する平凸レンズ状集光素列１０に対して当該基準画素列９’を中心軸として線対称にずれていると共に、基準画素列９’より外側の他の画素列９ほどずれる幅が大きくなっており、かつ、当該基準画素７’を含む基準画素行１１’と等距離にある一組の他の画素行１１が該各他の画素行１１に対応する平凸レンズ状集光素行１２に対して当該基準画素行１１’を中心軸として線対称にずれていると共に、基準画素行１１’より外側の他の画素行１１ほどずれる幅が大きくなっており、ずれ幅は、基準画素列９’，基準画素行１１’に対して外側の画素列９，画素行１１程、集光素のピッチと画素のピッチの差のｎ倍となっている（ｎは基準画素列９’，基準画素行１１’から数えた画素列９，画素行１１のｎ番目をいう。例えば、隣の画素列，画素行はｎ＝１、次の隣の画素列，画素行はｎ＝２となる。）（図１，図１０，図１４，図１９，図２２，図２４，図３１，図３４参照）。
【０１１７】
また、平凸レンズ状集光素２と画素７とが上下において完全に重なる状態から若干ずれて重なる基準集光素２’と基準画素７’とを有する虚像現出装飾体の場合においては、当該基準画素７’を含む基準画素列９’と等距離にある一組の他の画素列９が該各他の画素列９と対応する平凸レンズ状集光素列１０に対して当該基準画素列９’を中心軸としてずれていると共に、基準画素列９’より外側の他の画素列９ほどずれる幅が大きくなっており、かつ、当該基準画素７’を含む基準画素行１１’と等距離にある一組の他の画素行１１が該各他の画素行１１に対応する平凸レンズ状集光素行１２に対して当該基準画素行１１’を中心軸としてずれていると共に、基準画素行１１’より外側の他の画素行１１ほどずれる幅が大きくなっており、ずれ幅は、基準集光素２’に対して基準画素７’がずれた側の画素列９，画素行１１においては前記ｎ倍に基準集光素２’と基準画素７’とのずれ誤差幅を引いた幅となっており、反対側の画素列９，画素行１１においては前記ｎ倍に当該ずれ誤差幅を加えた幅となっている。
【０１１８】
なお、平凸レンズ状集光素２と上下において完全に重なる状態から若干ずれて重なる基準画素７’に関しては、当該基準画素７’の近傍における他の画素７に比べて平凸レンズ状集光素２と最も重なっている。
【０１１９】
【実施例】
実施例１．
【０１２０】
厚さ１mmのポリカーボネート製透明板４を透明基板層５として６枚用意した。厚さ0.1mm の透明フィルム６（品名：大日本スクリーン印刷株式会社製FTR3050 用フィルムHLNWL ：富士写真フィルム株式会社製）を６枚用意した。そして、６枚の透明基板４の上面に、線数が13線の紗体を用いてスクリーン印刷により、十条化成株式会社製4100番シリーズの透明インクで40％（基準面積当たりに占める平凸レンズ状集光素の割合）の平凸レンズ状の集光素９を印刷することにより、平凸レンズ状集光素層３を透明基板層５の上面に積層した。
【０１２１】
画素層８は、DTP(Desk Top Publishing)にて、線数15,16 17線の紗体を形成する紗線によってできる升目を単位として該升目のピッチから異なるピッチとなるように選択した縦方向のピッチと横方向のピッチとにより画素７を多数縦横に整列させて形成してなるフィルムを作成した。
【０１２２】
具体的製造工程を説明すれば、以下の通りである。
【０１２３】
先ず、パーソナルコンピュータ（品名：Power Mac 9600/300：Apple 社製）にて、編集処理アプリケーション（品名：Adobe Photoshope 5.02J：Adobe systems 社製）を用いて、線数15,16,17線の升目のピッチから選択した縦方向のピッチと、当該縦方向のピッチと異なるピッチとなるように線数15,16,17線の升目のピッチから選択した横方向のピッチとにより画素７を多数縦横に整列させた画像データを得、続いて、各画像データを出力処理アプリケーション( 品名：Quark XPress 3.3J ：Adobe systems 社製) を用いてパーソナルコンピュータ（品名：Power Mac 9600/350：Apple 社製）に転送処理し、転送された各画像データをイメージデータに変換する演算処理アプリケーション（品名：AD-310PM Ver2.0 ：大日本スクリーン製造株式会社製）を用いて演算処理した後、イメージセッター（品名：FT-R3050：大日本スクリーン製造株式会社製）に転送し、自動現像機（品名：KODAMATIC 710 Processor ：日本コダック株式会社製）にて、前記透明フィルム６に前記画素７を形成したフィルム（画素層８）を得た。
【０１２４】
そして、６枚の透明基板４の下面にそれぞれ画素層８を積層して６枚の虚像現出装飾体２１を得た。
【０１２５】
平凸レンズ状集光素層３を上面として虚像現出装飾体２１を真上から目視したところ、いずれの虚像現出装飾体においても、目視方向によって異なる深さ位置に沈んで現出する変形された円形の虚像２２，２３が観察できた。
【０１２６】
実施例２．
【０１２７】
15線の紗体にて形成した平凸レンズ状集光素層３と、17,18,19線の升目のピッチから互いに異なるピッチとなるように選択した縦方向のピッチと横方向のピッチとにより画素７を多数縦横に整列させて画素層８を形成した外は、実施例１と同様にして６枚の虚像現出装飾体２１を得た。実施例１と同様にして目視したところ、実施例１の場合と同じく、変形された円形の虚像２２，２３が観察できた。
【０１２８】
実施例３〜５．
【０１２９】
厚さ１mmのポリカーボネート製透明基板４を66枚用意し、厚さ0.1mm の前記透明フィルム６を66枚用意した。そして、20線の紗体にて形成した平凸レンズ状集光素層３と、16,17,18,19 線の升目のピッチから互いに異なるピッチとなるように選択した縦方向のピッチと横方向のピッチとにより画素７を多数縦横に整列させて形成した画素層８（実施例３）、21,22,23,24,25,26 線の升目のピッチから互いに異なるピッチとなるように選択した縦方向のピッチと横方向のピッチとにより画素７を多数縦横に整列させて形成した画素層８（実施例４）及び16,17,18,19 線の升目のピッチから選択した縦方向のピッチと21,22,23,24,25,26 線の升目のピッチから選択した横方向のピッチとにより画素７を多数縦横に整列させて形成した画素層８（実施例５）とした外は、実施例１と同様にして12枚の虚像現出装飾体２１（実施例３）と30枚の虚像現出装飾体２４（実施例４）と24枚の虚像現出装飾体１（実施例５）を得た。実施例１と同様にして目視したところ、虚像現出装飾体２１では、実施例１の場合と同じく、変形された円形の虚像２２，２３が観察でき、虚像現出装飾体２４では、いずれの虚像現出装飾体においても、目視方向によって異なる高さ位置に浮かんで現出する変形された円形の虚像２５，２６が観察でき、虚像現出装飾体１では、いずれの虚像現出装飾体においても、目視方向によって浮沈して現出する円形の虚像１７，２０及び変形された円形の虚像がが観察できた。
【０１３０】
実施例６〜８．
【０１３１】
厚さ１mmのポリカーボネート製透明基板４を65枚用意し、厚さ0.1mm の前記透明フィルム６を65枚用意した。そして、25線の紗体にて形成した平凸レンズ状集光素層３と、20,21,22,23,24線の升目のピッチから互いに異なるピッチとなるように選択した縦方向のピッチと横方向のピッチとにより画素７を多数縦横に整列させて形成した画素層８（実施例６）、26,27,28,30,32線の升目のピッチから互いに異なるピッチとなるように選択した縦方向のピッチと横方向のピッチとにより画素７を多数縦横に整列させて形成した画素層８（実施例７）及び20,21,22,23,24線の升目のピッチから選択した縦方向のピッチと26,27,28,30,32線の升目のピッチから選択した横方向のピッチとにより画素７を多数縦横に整列させて形成した画素層８（実施例８）とした外は、実施例１と同様にして20枚の虚像現出装飾体２１（実施例６）と20枚の虚像現出装飾体２４（実施例７）と25枚の虚像現出装飾体１（実施例８）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１３２】
実施例９〜１１．
【０１３３】
厚さ１mmのポリカーボネート製透明基板４を52枚用意し、厚さ0.1mm の前記透明フィルム６を52枚用意した。そして、30線の紗体にて形成した平凸レンズ状集光素層３と、24,25,26,27,28線の升目のピッチから互いに異なるピッチとなるように選択した縦方向のピッチと横方向のピッチとにより画素７を多数縦横に整列させて形成した画素層８（実施例９）、32,34,36,38 線の升目のピッチから互いに異なるピッチとなるように選択した縦方向のピッチと横方向のピッチとにより画素７を多数縦横に整列させて形成した画素層８（実施例１０）及び24,25,26,27,28線の升目のピッチから選択した縦方向のピッチと32,34,36,38 線の升目のピッチから選択した横方向のピッチとにより画素７を多数縦横に整列させて形成した画素層８（実施例１１）とした外は、実施例１と同様にして20枚の虚像現出装飾体２１（実施例９）と12枚の虚像現出装飾体２４（実施例１０）と20枚の虚像現出装飾体１（実施例１１）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１３４】
実施例１２〜１４．
【０１３５】
厚さ１mmのポリカーボネート製透明基板４を30枚用意し、厚さ0.1mm の前記透明フィルム６を30枚用意した。そして、35線の紗体にて形成した平凸レンズ状集光素層３と、28,30,32,34 線の升目のピッチから互いに異なるピッチとなるように選択した縦方向のピッチと横方向のピッチとにより画素７を多数縦横に整列させて形成した画素層８（実施例１２）、36,38,40線の升目のピッチから互いに異なるピッチとなるように選択した縦方向のピッチと横方向のピッチとにより画素７を多数縦横に整列させて形成した画素層８（実施例１３）及び28,30,32,34 線の升目のピッチから選択した縦方向のピッチと36,38,40線の升目のピッチから選択した横方向のピッチとにより画素７を多数縦横に整列させて形成した画素層８（実施例１４）とした外は、実施例１と同様にして12枚の虚像現出装飾体２１（実施例１２）と６枚の虚像現出装飾体２４（実施例１３）と12枚の虚像現出装飾体１（実施例１４）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１３６】
実施例１５〜１７．
【０１３７】
厚さ１mmのポリカーボネート製透明基板４を22枚用意し、厚さ0.1mm の前記透明フィルム６を22枚用意した。そして、40線の紗体にて形成した平凸レンズ状集光素層３と、32,34,36,38 線の升目のピッチから互いに異なるピッチとなるように選択した縦方向のピッチと横方向のピッチとにより画素７を多数縦横に整列させて形成した画素層８（実施例１５）、43,45 線の升目のピッチから互いに異なるピッチとなるように選択した縦方向のピッチと横方向のピッチとにより画素７を多数縦横に整列させて形成した画素層８（実施例１６）及び32,34,36,38 線の升目のピッチから選択した縦方向のピッチと43,45 線の升目のピッチから選択した横方向のピッチとにより画素７を多数縦横に整列させて形成した画素層８（実施例１７）とした外は、実施例１と同様にして12枚の虚像現出装飾体２１（実施例１５）と２枚の虚像現出装飾体２４（実施例１６）と８枚の虚像現出装飾体１（実施例１７）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１３８】
実施例１８〜２０
【０１３９】
厚さ１mmのポリカーボネート製透明基板４を14枚用意し、厚さ0.1mm の前記透明フィルム６を14枚用意した。そして、45線の紗体にて形成した平凸レンズ状集光素層３と、36,38,40線の升目のピッチから互いに異なるピッチとなるように選択した縦方向のピッチと横方向のピッチとにより画素７を多数縦横に整列させて形成した画素層８（実施例１８）、48,50 線の升目のピッチから互いに異なるピッチとなるように選択した縦方向のピッチと横方向のピッチとにより画素７を多数縦横に整列させて形成した画素層８（実施例１９）及び36,38,40線の升目のピッチから選択した縦方向のピッチと48,50 線の升目のピッチから選択した横方向のピッチとにより画素７を多数縦横に整列させて形成した画素層８（実施例２０）とした外は、実施例１と同様にして６枚の虚像現出装飾体２１（実施例１８）と２枚の虚像現出装飾体２４（実施例１９）と６枚の虚像現出装飾体１（実施例２０）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１４０】
実施例２１〜２３．
【０１４１】
厚さ１mmのポリカーボネート製透明基板４を８枚用意し、厚さ0.1mm の前記透明フィルム６を８枚用意した。そして、50線の紗体にて形成した平凸レンズ状集光素層３と、45,48 線の升目のピッチから互いに異なるピッチとなるように選択した縦方向のピッチと横方向のピッチとにより画素７を多数縦横に整列させて形成した画素層８（実施例２１）、53,55 線の升目のピッチから互いに異なるピッチとなるように選択した縦方向のピッチと横方向のピッチとにより画素７を多数縦横に整列させて形成した画素層８（実施例２２）及び45,48 線の升目のピッチから選択した縦方向のピッチと53,55 線の升目のピッチから選択した横方向のピッチとにより画素７を多数縦横に整列させて形成した画素層８（実施例２３）とした外は、実施例１と同様にして２枚の虚像現出装飾体２１（実施例２１）と２枚の虚像現出装飾体２４（実施例２２）と４枚の虚像現出装飾体１（実施例２３）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１４２】
実施例２４〜２６．
【０１４３】
厚さ１mmのポリカーボネート製透明基板４を８枚用意し、厚さ0.1mm の前記透明フィルム６を８枚用意した。そして、55線の紗体にて形成した平凸レンズ状集光素層３と、45,50 線の升目のピッチから互いに異なるピッチとなるように選択した縦方向のピッチと横方向のピッチとにより画素７を多数縦横に整列させて形成した画素層８（実施例２４）、60,65 線の升目のピッチから互いに異なるピッチとなるように選択した縦方向のピッチと横方向のピッチとにより画素７を多数縦横に整列させて形成した画素層８（実施例２５）及び45,50 線の升目のピッチから選択した縦方向のピッチと60,65 線の升目のピッチから選択した横方向のピッチとにより画素７を多数縦横に整列させて形成した画素層８（実施例２６）とした外は、実施例１と同様にして２枚の虚像現出装飾体２１（実施例２４）と２枚の虚像現出装飾体２４（実施例２５）と４枚の虚像現出装飾体１（実施例２６）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１４４】
実施例２７〜２９．
【０１４５】
厚さ１mmのポリカーボネート製透明基板４を８枚用意し、厚さ0.1mm の前記透明フィルム６を８枚用意した。そして、60線の紗体にて形成した平凸レンズ状集光素層３と、50,55 線の升目のピッチから互いに異なるピッチとなるように選択した縦方向のピッチと横方向のピッチとにより画素７を多数縦横に整列させて形成した画素層８（実施例２７）、65,70 線の升目のピッチから互いに異なるピッチとなるように選択した縦方向のピッチと横方向のピッチとにより画素７を多数縦横に整列させて形成した画素層８（実施例２８）及び50,55 線の升目のピッチから選択した縦方向のピッチと65,70 線の升目のピッチから選択した横方向のピッチとにより画素７を多数縦横に整列させて形成した画素層８（実施例２９）とした外は、実施例１と同様にして２枚の虚像現出装飾体２１（実施例２７）と２枚の虚像現出装飾体２４（実施例２８）と４枚の虚像現出装飾体１（実施例２９）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１４６】
実施例３０〜３２．
【０１４７】
厚さ１mmのポリカーボネート製透明基板４を８枚用意し、厚さ0.1mm の前記透明フィルム６を８枚用意した。そして、65線の紗体にて形成した平凸レンズ状集光素層３と、55,60 線の升目のピッチから互いに異なるピッチとなるように選択した縦方向のピッチと横方向のピッチとにより画素７を多数縦横に整列させて形成した画素層８（実施例３０）、68,70 線の升目のピッチから互いに異なるピッチとなるように選択した縦方向のピッチと横方向のピッチとにより画素７を多数縦横に整列させて形成した画素層８（実施例３１）及び55,60 線の升目のピッチから選択した縦方向のピッチと68,70 線の升目のピッチから選択した横方向のピッチとにより画素７を多数縦横に整列させて形成した画素層８（実施例３２）とした外は、実施例１と同様にして２枚の虚像現出装飾体２１（実施例３０）と２枚の虚像現出装飾体２４（実施例３１）と４枚の虚像現出装飾体１（実施例３２）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１４８】
実施例３３．
【０１４９】
厚さ１mmのポリカーボネート製透明基板４を２枚用意し、厚さ0.1mm の前記透明フィルム６を２枚用意した。そして、70線の紗体にて形成した平凸レンズ状集光素層３と、60,65 線の升目のピッチから互いに異なるピッチとなるように選択した縦方向のピッチと横方向のピッチとにより画素７を多数縦横に整列させて形成した画素層８（実施例３３）とした外は、実施例１と同様にして２枚の虚像現出装飾体２４（実施例３３）を得た。実施例１と同様にして目視したところ、実施例３の場合と同じく、虚像現出装飾体２４では変形された円形の虚像２５，２６が観察できた。
【０１５０】
実施例３４．
【０１５１】
厚さ３mmのポリカーボネート製透明基板４を２枚用意し、厚さ0.1mm の前記透明フィルム６を２枚用意した。そして、10線の紗体にて形成した平凸レンズ状集光素層３と、13,14 線の升目のピッチから互いに異なるピッチとなるように選択した縦方向のピッチと横方向のピッチとにより画素７を多数縦横に整列させて形成した画素層８（実施例３４）とした外は、実施例１と同様にして２枚の虚像現出装飾体２１（実施例３４）を得た。実施例１と同様にして目視したところ、実施例１の場合と同じく、虚像現出装飾体２１では変形された円形の虚像２２，２３が観察できた。
【０１５２】
実施例３５．
【０１５３】
厚さ３mmのポリカーボネート製透明基板４を12枚用意し、厚さ0.1mm の前記透明フィルム６を12枚用意した。そして、13線の紗体にて形成した平凸レンズ状集光素層３と、14,15,16,17 線の升目のピッチから互いに異なるピッチとなるように選択した縦方向のピッチと横方向のピッチとにより画素７を多数縦横に整列させて形成した画素層８（実施例３５）とした外は、実施例１と同様にして２枚の虚像現出装飾体２１（実施例３５）を得た。実施例１と同様にして目視したところ、実施例１の場合と同じく、虚像現出装飾体２１では変形された円形の虚像２２，２３が観察できた。
【０１５４】
実施例３６〜３８．
【０１５５】
厚さ３mmのポリカーボネート製透明基板４を32枚用意し、厚さ0.1mm の前記透明フィルム６を32枚用意した。そして、15線の紗体にて形成した平凸レンズ状集光素層３と、13,14 線の升目のピッチから互いに異なるピッチとなるように選択した縦方向のピッチと横方向のピッチとにより画素７を多数縦横に整列させて形成した画素層８（実施例３６）、16,17,18,19,20線の升目のピッチから互いに異なるピッチとなるように選択した縦方向のピッチと横方向のピッチとにより画素７を多数縦横に整列させて形成した画素層８（実施例３７）及び13,14 線の升目のピッチから選択した縦方向のピッチと16,17,18,19,20線の升目のピッチから選択した横方向のピッチとにより画素７を多数縦横に整列させて形成した画素層８（実施例３８）とした外は、実施例１と同様にして２枚の虚像現出装飾体２１（実施例３６）と20枚の虚像現出装飾体２４（実施例３７）と10枚の虚像現出装飾体１（実施例３８）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１５６】
実施例３９〜４１．
【０１５７】
厚さ３mmのポリカーボネート製透明基板４を65枚用意し、厚さ0.1mm の前記透明フィルム６を65枚用意した。そして、20線の紗体にて形成した平凸レンズ状集光素層３と、15,16,17,18,19線の升目のピッチから互いに異なるピッチとなるように選択した縦方向のピッチと横方向のピッチとにより画素７を多数縦横に整列させて形成した画素層８（実施例３９）、21,22,23,24,25線の升目のピッチから互いに異なるピッチとなるように選択した縦方向のピッチと横方向のピッチとにより画素７を多数縦横に整列させて形成した画素層８（実施例４０）及び15,16,17,18,19線の升目のピッチから選択した縦方向のピッチと21,22,23,24,25線の升目のピッチから選択した横方向のピッチとにより画素７を多数縦横に整列させて形成した画素層８（実施例４１）とした外は、実施例１と同様にして20枚の虚像現出装飾体２１（実施例３９）と20枚の虚像現出装飾体２４（実施例４０）と25枚の虚像現出装飾体１（実施例４１）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１５８】
実施例４２〜４４．
【０１５９】
厚さ３mmのポリカーボネート製透明基板４を97枚用意し、厚さ0.1mm の前記透明フィルム６を97枚用意した。そして、25線の紗体にて形成した平凸レンズ状集光素層３と、18,19,20,21,22,23,24線の升目のピッチから互いに異なるピッチとなるように選択した縦方向のピッチと横方向のピッチとにより画素７を多数縦横に整列させて形成した画素層８（実施例４２）、26,27,28,30,32線の升目のピッチから互いに異なるピッチとなるように選択した縦方向のピッチと横方向のピッチとにより画素７を多数縦横に整列させて形成した画素層８（実施例４３）及び18,19,20,21,22,23,24線の升目のピッチから選択した縦方向のピッチと26,27,28,30,32線の升目のピッチから選択した横方向のピッチとにより画素７を多数縦横に整列させて形成した画素層８（実施例４４）とした外は、実施例１と同様にして42枚の虚像現出装飾体２１（実施例４２）と20枚の虚像現出装飾体２４（実施例４３）と35枚の虚像現出装飾体１（実施例４４）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１６０】
実施例４５〜４７．
【０１６１】
厚さ３mmのポリカーボネート製透明基板４を54枚用意し、厚さ0.1mm の前記透明フィルム６を54枚用意した。そして、30線の紗体にて形成した平凸レンズ状集光素層３と、23,24,25,26,27,28 線の升目のピッチから互いに異なるピッチとなるように選択した縦方向のピッチと横方向のピッチとにより画素７を多数縦横に整列させて形成した画素層８（実施例４５）、32,34,36線の升目のピッチから互いに異なるピッチとなるように選択した縦方向のピッチと横方向のピッチとにより画素７を多数縦横に整列させて形成した画素層８（実施例４６）及び23,24,25,26,27,28 線の升目のピッチから選択した縦方向のピッチと32,34,36線の升目のピッチから選択した横方向のピッチとにより画素７を多数縦横に整列させて形成した画素層８（実施例４７）とした外は、実施例１と同様にして30枚の虚像現出装飾体２１（実施例４５）と９枚の虚像現出装飾体２４（実施例４６）と18枚の虚像現出装飾体１（実施例４７）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１６２】
実施例４８〜５０．
【０１６３】
厚さ３mmのポリカーボネート製透明基板４を30枚用意し、厚さ0.1mm の前記透明フィルム６を30枚用意した。そして、35線の紗体にて形成した平凸レンズ状集光素層３と、28,30,32,34 線の升目のピッチから互いに異なるピッチとなるように選択した縦方向のピッチと横方向のピッチとにより画素７を多数縦横に整列させて形成した画素層８（実施例４８）、36,38,40線の升目のピッチから互いに異なるピッチとなるように選択した縦方向のピッチと横方向のピッチとにより画素７を多数縦横に整列させて形成した画素層８（実施例４９）及び28,30,32,34 線の升目のピッチから選択した縦方向のピッチと36,38,40線の升目のピッチから選択した横方向のピッチとにより画素７を多数縦横に整列させて形成した画素層８（実施例５０）とした外は、実施例１と同様にして12枚の虚像現出装飾体２１（実施例４８）と６枚の虚像現出装飾体２４（実施例５０）と12枚の虚像現出装飾体１（実施例４９）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１６４】
実施例５１〜５３．
【０１６５】
厚さ３mmのポリカーボネート製透明基板４を32枚用意し、厚さ0.1mm の前記透明フィルム６を32枚用意した。そして、40線の紗体にて形成した平凸レンズ状集光素層３と、30,32,34,36,38線の升目のピッチから互いに異なるピッチとなるように選択した縦方向のピッチと横方向のピッチとにより画素７を多数縦横に整列させて形成した画素層８（実施例５１）、43,45 線の升目のピッチから互いに異なるピッチとなるように選択した縦方向のピッチと横方向のピッチとにより画素７を多数縦横に整列させて形成した画素層８（実施例５２）及び30,32,34,36,38線の升目のピッチから選択した縦方向のピッチと43,45 線の升目のピッチから選択した横方向のピッチとにより画素７を多数縦横に整列させて形成した画素層８（実施例５３）とした外は、実施例１と同様にして10枚の虚像現出装飾体２１（実施例５１）と２枚の虚像現出装飾体２４（実施例５２）と20枚の虚像現出装飾体１（実施例５３）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１６６】
実施例５４〜５６．
【０１６７】
厚さ３mmのポリカーボネート製透明基板４を８枚用意し、厚さ0.1mm の前記透明フィルム６を８枚用意した。そして、45線の紗体にて形成した平凸レンズ状集光素層３と、40,43 線の升目のピッチから互いに異なるピッチとなるように選択した縦方向のピッチと横方向のピッチとにより画素７を多数縦横に整列させて形成した画素層８（実施例５４）、48,50 線の升目のピッチから互いに異なるピッチとなるように選択した縦方向のピッチと横方向のピッチとにより画素７を多数縦横に整列させて形成した画素層８（実施例５５）及び40,43 線の升目のピッチから選択した縦方向のピッチと48,50 線の升目のピッチから選択した横方向のピッチとにより画素７を多数縦横に整列させて形成した画素層８（実施例５６）とした外は、実施例１と同様にして２枚の虚像現出装飾体２１（実施例５４）と２枚の虚像現出装飾体２４（実施例５５）と４枚の虚像現出装飾体１（実施例５６）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１６８】
実施例５７〜５９．
【０１６９】
厚さ３mmのポリカーボネート製透明基板４を８枚用意し、厚さ0.1mm の前記透明フィルム６を８枚用意した。そして、50線の紗体にて形成した平凸レンズ状集光素層３と、45,48 線の升目のピッチから互いに異なるピッチとなるように選択した縦方向のピッチと横方向のピッチとにより画素７を多数縦横に整列させて形成した画素層８（実施例５７）、53,55 線の升目のピッチから互いに異なるピッチとなるように選択した縦方向のピッチと横方向のピッチとにより画素７を多数縦横に整列させて形成した画素層８（実施例５８）及び45,48 線の升目のピッチから選択した縦方向のピッチと53,55 線の升目のピッチから選択した横方向のピッチとにより画素７を多数縦横に整列させて形成した画素層８（実施例５９）とした外は、実施例１と同様にして２枚の虚像現出装飾体２１（実施例５７）と２枚の虚像現出装飾体２４（実施例５８）と４枚の虚像現出装飾体１（実施例５９）を得た。実施例１と同様にして目視したところ、実施例３，４，５の場合と同じく、虚像現出装飾体２１では変形された円形の虚像２２，２３が観察でき、虚像現出装飾体２４では変形された円形の虚像２５，２６が観察でき、虚像現出装飾体１では円形の虚像１７，２０及び変形された円形の虚像が観察できた。
【０１７０】
実施例６０．
【０１７１】
厚さ１mmの透明基板４（品名：アキレス青味透明グラス：アキレス株式会社製）を１枚用意し、厚さ0.1 mmの前記透明フィルム６を２枚用意した。そして、35線の紗体にて平凸レンズ状集光素層３を形成し、縦方向のピッチを線数33.8線の升目のピッチとし、横方向のピッチを線数35.5線の升目のピッチとして透明フィルム６に画素７を縦横において異なるピッチとなるように多数縦横に整列させて形成した第一画素層３２及び縦方向のピッチを線数33.8線の升目のピッチとし、横方向のピッチを線数35.5線の升目のピッチとして透明フィルム６に画素７を縦横において異なるピッチとなるように多数縦横に整列させて形成した第二画素層３３をそれぞれ作成した後、透明基板４の下面に第一画素層３２を積層し、さらに、第一画素層３２の下面に第二画素層３３を積層して虚像現出装飾体３１を得た。実施例１と同様にして目視したところ、図２８の（ａ）に示すように、虚像現出装飾体３１を横方向から目視した場合には、当該虚像現出装飾体３１の手前（上方）に虚像３７が観察できると共に、奥（下方）に虚像３６が観察できた。また、図２８の（ｂ）に示すように、縦方向から目視した場合には、前記横方向から目視した場合に下方に観察できた虚像３７が上方に虚像３７’として観察でき、前記横方向から目視した場合に上方に観察できた虚像３６が下方に虚像３６’として観察できた。
【０１７２】
実施例６１．
【０１７３】
厚さ１mmの前記透明基板４を１枚用意し、厚さ0.1 mmの前記透明フィルム６を１枚用意した。そして、35線の紗体にて平凸レンズ状集光素層３を形成し、縦方向のピッチを線数33.8線の升目のピッチとし、横方向のピッチを線数35.5線の升目のピッチとして透明フィルム６に多数縦横に整列される同一形状の画素７において、縦方向のピッチの間隔と横方向のピッチの間隔とにより形成される長方形の中心に画素７を配置する際に、当該画素７の大きさが基本画素列４５から離れるに従って小さくなるように画素層８を作成して、図３１に示す虚像現出装飾体４４を得た。当該虚像現出装飾体４４を実施例１と同様にして目視したところ、目視方向によって浮き沈みして現出する基本画素列４５から離れるに従い縮小される円形の画素７と同一形状の拡大された虚像１７，２０が観察できた。
【０１７４】
実施例６２．
【０１７５】
厚さ１mmの前記透明基板４を１枚用意し、厚さ0.1 mmの前記透明フィルム６を１枚用意した。そして、35線の紗体にて平凸レンズ状集光素層３を形成し、35.5線の紗体における画素７の画素列９を傾斜角0.1 で傾斜させて画素層８を作成して、図３４に示す虚像現出装飾体４６を得た。当該虚像現出装飾体４６を実施例１と同様にして目視したところ、目視方向によって浮き沈みして現出する変形された虚像５３，５４が観察できた。
【０１７６】
【発明の効果】
本発明によれば、虚像現出装飾体を目視する方向により現出する虚像の装飾体面からの深さ位置及び高さ位置が変化する虚像現出装飾体を提供することができる。
【０１７７】
従って、本発明に係る虚像現出装飾体は、現出する虚像及び該虚像の変化に起因して観察者の目を引くと共に興味を持って見られるので、各種の表示版や印刷物、ラベル、玩具等に利用でき、また、通常の印刷技術によって低コストで製造できるから、その用途は広く、本発明の産業上利用性は非常に高いといえる。
【図面の簡単な説明】
【図１】実施の形態１に係る虚像現出装飾体における平凸レンズ状集光素と画素との位置関係を説明する図である。
【図２】図１に示す虚像現出装飾体を模型的に示した部分縦断面図である。
【図３】図１に示す虚像現出装飾体の平凸レンズ状集光素層を示した平面図である。
【図４】図１に示す虚像現出装飾体をＸ方向から目視した場合に透明基板の手前に浮いて現出する拡大された画素の虚像を説明する図である。
【図５】図１に示す虚像現出装飾体をＸ方向から目視した場合において現出する拡大された画素の虚像を左目で目視した後右目で目視したときの画像の動きを説明する平面図である。
【図６】図１に示す虚像現出装飾体をＸ方向から目視した場合において現出する拡大された画素の虚像を右目で目視した後左目で目視したときの画像の動きを説明する平面図である。
【図７】図１に示す虚像現出装飾体をＹ方向から目視した場合に透明基板の奥に沈んで現出する拡大された画素の虚像を説明する図である。
【図８】図１に示す虚像現出装飾体をＹ方向から目視した場合において現出する拡大された画素の虚像を左目で目視した後右目で目視したときの画像の動きを説明する平面図である。
【図９】図１に示す虚像現出装飾体をＹ方向から目視した場合において現出する拡大された画素の虚像を右目で目視した後左目で目視したときの画像の動きを説明する平面図である。
【図１０】実施の形態２に係る虚像現出装飾体における平凸レンズ状集光素と画素との位置関係を説明する図である。
【図１１】図１０に示す虚像現出装飾体を模型的に示した部分縦断面図である。
【図１２】図１０に示す虚像現出装飾体によって現出する各虚像の上下の位置関係を説明する図である。
【図１３】平凸レンズ状集光素と画素とによって形成される虚像を図形化した平面図である。
【図１４】実施の形態３に係る虚像現出装飾体における平凸レンズ状集光素と画素との位置関係を説明する図である。
【図１５】図１４に示す虚像現出装飾体を模型的に示した部分縦断面図である。
【図１６】図１４に示す虚像現出装飾体によって現出する各虚像の上下の位置関係を説明する図である。
【図１７】平凸レンズ状集光素と画素とによって形成される虚像を図形化した平面図である。
【図１８】形状が異なる２種類の画素を多数縦横に整列して形成してなる画素層の平面図である。
【図１９】拡大された２種類の画素の虚像が重なった状態で見える虚像現出装飾体における平凸レンズ状集光素と２種類の画素との位置関係を説明する図である。
【図２０】平凸レンズ状集光素と２種類の画素とによって形成される虚像を図形化した平面図である。
【図２１】形状が異なる２種類の画素を多数縦横に整列して形成してなる画素層の平面図である。
【図２２】拡大された２種類の画素の虚像が重なった状態で見える虚像現出装飾体における平凸レンズ状集光素と２種類の画素との位置関係を説明する図である。
【図２３】形状が異なる２種類の画素を多数縦横に整列して形成してなる画素層の平面図である。
【図２４】拡大された２種類の画素の虚像が重なった状態で見える虚像現出装飾体における平凸レンズ状集光素と２種類の画素との位置関係を説明する図である。
【図２５】平凸レンズ状集光素と２種類の画素とによって形成される虚像を図形化した平面図である。
【図２６】形状が異なる３種類の画素を多数縦横に整列して形成してなる画素層の平面図である。
【図２７】画素層を二層積層してなる虚像現出装飾体を模型的に示した部分縦断面図である。
【図２８】現出する各虚像の上下位置関係を説明する図である。
【図２９】現出する各虚像の上下位置関係を説明する図である。
【図３０】現出する各虚像の上下位置関係を説明する図である。
【図３１】実施の形態９に係る虚像現出装飾体における平凸レンズ状集光素と画素との位置関係を説明する図である。
【図３２】図３１に示す虚像現出装飾体の平凸レンズ状集光素と画素とによって形成される虚像を図形化した平面図である。
【図３３】実施の形態１０における画素層の画素の配置を説明する図である。
【図３４】実施の形態１０に係る虚像現出装飾体における平凸レンズ状集光素と画素との位置関係を説明する図である。
【符号の説明】
１，２１，２４，３１，３８，４１，４４，４６  虚像現出装飾体
２  平凸レンズ状集光素
２’  基準集光素
３  平凸レンズ状集光素層
４  透明基板
５  透明基板層
６  透明フィルム
７，３４，３５  画素
７’  基準画素
８，３２，３３，３９，４２  画素層
９，４７，５０  画素列
９’，４９  基準画素列
１０，５１  平凸レンズ状集光素列
１０’  基準集光素列
１１，４８，５３  画素行
１１’，５２  基準画素行
１２，５４  平凸レンズ状集光素行
１２’  基準集光素行
１３  左目
１４，１６，１８，１９  画像
１５  右目
１７，２０，２２，２３，２５〜３０，３６，３７，４０，４３  虚像
４５  基本画素列
【図１】
0004337109.tif 000002
【図２】
0004337109.tif 000003
【図３】
0004337109.tif 000004
【図４】
0004337109.tif 000005
【図５】
0004337109.tif 000006
【図６】
0004337109.tif 000007
【図７】
0004337109.tif 000008
【図８】
0004337109.tif 000009
【図９】
0004337109.tif 000010
【図１０】
0004337109.tif 000011
【図１１】
0004337109.tif 000012
【図１２】
0004337109.tif 000013
【図１３】
0004337109.tif 000014
【図１４】
0004337109.tif 000015
【図１５】
0004337109.tif 000016
【図１６】
0004337109.tif 000017
【図１７】
0004337109.tif 000018
【図１８】
0004337109.tif 000019
【図１９】
0004337109.tif 000020
【図２０】
0004337109.tif 000021
【図２１】
0004337109.tif 000022
【図２２】
0004337109.tif 000023
【図２３】
0004337109.tif 000024
【図２４】
0004337109.tif 000025
【図２５】
0004337109.tif 000026
【図２６】
0004337109.tif 000027
【図２７】
0004337109.tif 000028
【図２８】
0004337109.tif 000029
【図２９】
0004337109.tif 000030
【図３０】
0004337109.tif 000031
【図３１】
0004337109.tif 000032
【図３２】
0004337109.tif 000033
【図３３】
0004337109.tif 000034
【図３４】
0004337109.tif 000035